(57)【特許請求の範囲】
【請求項１】
リールと、
透光性を有する透光パネルと、
装飾性を有する装飾シートと、
遮光性を有する遮光カバーと、を備え、
前記装飾シートは、前記透光パネルの後方に配置され、
前記装飾シートは、前記透光パネルを介して前方から視認可能であり、
前記装飾シートは、第１エリアと、前記第１エリアよりも粗面状な第２エリアとを前面に有しており、
前記第２エリアによって、前記装飾シートと前記透光パネルとの間の干渉縞を抑制し、
前記第２エリアは、前記第１エリアよりも狭く、
前記第２エリアは、前記装飾シートの縁部に沿って形成され、
前記遮光カバーは、前記透光パネルの前方から前記第２エリアを覆い、
前記遮光カバーによって、前記第２エリアが前方から視認困難となっている、
ことを特徴とする遊技機。
【発明の詳細な説明】
【技術分野】
【０００１】
本発明は、遊技機に関する。
【背景技術】
【０００２】
従来、外周面に図柄が配列された複数のリールを備えた遊技機（回胴式遊技機、スロットマシン）が知られている（例えば、特許文献１参照）。この種の遊技機は、メダルやパチンコ玉などの遊技媒体に対して一定の遊技価値を付与し、このような遊技媒体を獲得するための遊技を行うものである。また、この種の遊技機は、遊技者によるスタートレバーに対する開始操作を契機として、内部抽選を行うとともに複数のリールの回転を開始させ、遊技者によるストップボタンに対する停止操作を契機として、内部抽選の結果に応じた態様で複数のリールを停止させる制御を行っている。そして、遊技の結果は、複数のリールが停止した状態における入賞判定ライン上に表示された図柄組合せによって判定され、遊技の結果に応じてメダル等の払い出しなどが行われる。
【０００３】
上述したような遊技機においては、画像が印刷された薄手の装飾シートと、装飾シートを前面側から保護する透光性の保護カバーと、を備え、装飾シートを他のデザインの装飾シートと交換することにより、遊技機の外観を変更可能なスロットマシンが開示されている（特許文献１参照）。
【先行技術文献】
【特許文献】
【０００４】
【特許文献１】特開２００７−３０７２９２号公報
【発明の概要】
【発明が解決しようとする課題】
【０００５】
上述したように、透光性のパネル（保護カバー）と装飾シートとを重ねて配置した場合、光の干渉によってパネルと装飾シートとの間に干渉縞が発生し、装飾シートの見栄えが良好でなくなる場合がある。
【０００６】
そこで、本発明は、干渉縞の発生を抑制することが可能な遊技機を提供することを目的としている。
【課題を解決するための手段】
【０００７】
本発明の一態様は、リールと、
透光性を有する透光パネルと、
装飾性を有する装飾シートと、
遮光性を有する遮光カバーと、を備え、
前記装飾シートは、前記透光パネルの後方に配置され、
前記装飾シートは、前記透光パネルを介して前方から視認可能であり、
前記装飾シートは、第１エリアと、前記第１エリアよりも粗面状な第２エリアとを前面に有しており、
前記第２エリアによって、前記装飾シートと前記透光パネルとの間の干渉縞を抑制し、
前記第２エリアは、前記第１エリアよりも狭く、
前記第２エリアは、前記装飾シートの縁部に沿って形成され、
前記遮光カバーは、前記透光パネルの前方から前記第２エリアを覆い、
前記遮光カバーによって、前記第２エリアが前方から視認困難となっている、
ことを特徴とする遊技機である。
【発明の効果】
【０００８】
本発明によれば、透光パネルと装飾シートとの間に干渉縞が発生することを抑制することが可能となる。
【図面の簡単な説明】
【０００９】
【図１】第１の実施形態に係る遊技機の外観構成を示す正面図である。
【図２】第１の実施形態に係る遊技機の外観構成を示す側面図である。
【図３】第１の実施形態に係る遊技機の前面扉の構成を示す背面図である。
【図４】第１の実施形態に係る遊技機の筐体の内部の構成を示す正面図である。
【図５】第１の実施形態に係る遊技機のリールユニットを示す図で、（ａ）は第１リールを示す正面図、（ｂ）は第１リールを示す（ａ）のＦ−Ｆ断面図である。
【図６】第１の実施形態に係る遊技機のスタートレバーユニットを示す図１のＡ−Ａ断面図である。
【図７】第１の実施形態に係る遊技機のスタートレバーユニットの取付け構造を示す図１のＢ−Ｂ断面図である。
【図８】第１の実施形態に係る遊技機のストップボタンユニットを示す図２のＤ−Ｄ断面図である。
【図９】第１の実施形態に係る遊技機のストップボタンユニットを示す分解図である。
【図１０】第１の実施形態に係る遊技機のストップボタンユニットを示す図１のＣ−Ｃ断面図である。
【図１１】第１の実施形態に係る遊技機の第１リールを示す斜視図である。
【図１２】第１の実施形態に係る遊技機のリールテープを示す図で、（ａ）は表面から視た図、（ｂ）は裏面から視た図である。
【図１３】第１の実施形態に係る遊技機の重なり領域周辺の第１リールの示す拡大図である。
【図１４】第１の実施形態に係る遊技機のリールテープを示す図１２（ａ）の拡大図である。
【図１５】第１の実施形態に係る遊技機のリールテープ識別表示を示す拡大図である。
【図１６】第１の実施形態に係る遊技機の前面下扉を示す分解図である。
【図１７】図１のＥ−Ｅ断面図で、（ａ）は第１の実施形態に係る遊技機の断面図、（ｂ）は第２の実施形態に係る遊技機の断面図、（ｃ）は第６の実施形態に係る遊技機の断面図である。
【図１８】（ａ）は第１の実施形態に係る遊技機の下装飾シートを示す正面図、（ｂ）は第２の実施形態に係る遊技機の下装飾シートを示す正面図、（ｃ）は第３の実施形態に係る遊技機の下装飾シートを示す正面図、（ｄ）は第４の実施形態に係る遊技機の下装飾シートを示す正面図、（ｅ）は第５の実施形態に係る遊技機の下装飾シートを示す正面図、（ｆ）は第６の実施形態に係る遊技機の下装飾シートを示す正面図、（ｇ）は第７の実施形態に係る遊技機の下装飾シートを示す正面図、（ｈ）は第８の実施形態に係る遊技機の拡散シートを示す背面図である。
【発明を実施するための形態】
【００１０】
＜第１の実施形態＞
以下、本発明に係る第１の実施形態について説明する。なお、以下に説明する本実施形態は、特許請求の範囲に記載された本発明の内容を不当に限定するものではない。また、本実施形態で説明される構成のすべてが、本発明の必須構成要件であるとは限らない。また、以下の記載において、「平行」及び「直交」との説明があるが、「平行」及び「直交」には、それぞれ「略平行」及び「略直交」であるものを含むものとする。
【００１１】
［遊技機の構成の概要］
図１は、本実施形態のスロットマシン１の外観構成を示す正面図、図２は、スロットマシン１の外観構成を示す側面図である。本実施形態のスロットマシン１は、いわゆる回胴式遊技機と呼ばれるもので、メダルを遊技媒体として用いた遊技を行う種類の遊技機である。なお、以下において、遊技者の方（手前）を「前方」、反対を「後方」と記載する。また、図１の正面図を基準に遊技機の上下左右を規定する。
【００１２】
本実施形態のスロットマシン１は、遊技者に対向する側である前面側（前方側）に開口ＢＸａ（図４参照）が形成された箱形の筐体ＢＸ、開閉可能に筐体ＢＸに支持された前扉としての前面扉ＦＤを備えており、筐体ＢＸ内に左右方向に並べて配置された複数のリールとしての第１リールＲ１〜第３リールＲ３を有するリールユニット３１０が収められている。筐体ＢＸの開口ＢＸａは、上部よりも下部が前方となる傾斜面Ｓ１に沿って形成されている。筐体ＢＸは、スロットマシン１が遊技場に設置される際、遊技場の床面に当接する下面ＢＸｂを有している。なお、下面ＢＸｂは平面状に形成されているものに限定されない。下面ＢＸｂは、遊技場の床面と当接することによってスロットマシン１が安定して載置されるように形成されていればよく、例えば、複数の凹凸を有していてもよい。筐体ＢＸは、傾斜面Ｓ１に沿って形成されているため、前面扉ＦＤの開放時に前方側に倒れようとする力を緩和している。また、筐体ＢＸ内のリールユニット３１０の下部には、メダルの払出装置としてのホッパーユニット３２０（図４参照）が収められている。また、本実施形態のスロットマシン１の筐体ＢＸ内には、ＣＰＵ、ＲＯＭ（情報記憶媒体の一例）、ＲＡＭ等を搭載し、スロットマシン１の動作を制御する制御基板１０（図４参照）も収められている。
【００１３】
最も左方側に配置された第１リールＲ１、第１リールＲ１の右方側に配置された第２リールＲ２及び第２リールＲ２の右方側に配置された第３リールＲ３は、それぞれ外周面が一定の間隔で２０の領域（以下、各領域を「コマ」と記載する）に区画されており、各コマに複数種類の図柄のいずれかが配列されている。また、第１リールＲ１〜第３リールＲ３は、リール駆動手段としてのステッピングモータＭ（図４参照）に軸支されており、それぞれステッピングモータＭの軸周りに回転駆動され、ステッピングモータＭの駆動パルスのパルス数やパルス幅などを制御することによって、コマ単位（所定の回転角度単位、所定の回転量単位）で停止可能に設けられている。
【００１４】
前面扉ＦＤは、それぞれ個別に開閉可能で、開口ＢＸａの上半部を閉じることが可能な前面上扉ＵＤと、開口ＢＸａの下半部を閉じることが可能な前面下扉ＤＤと、に分割部ＤＶにおいて上下に分割して構成されている。前面上扉ＵＤは、第１リールＲ１〜第３リールＲ３に対向して近接配置された上パネルＵＤ１と、この上パネルＵＤ１の裏面側（後方側）に配置された上装飾シートと、を有している。
【００１５】
上パネルＵＤ１は、透光性が高い（本実施形態では透明な）合成樹脂によって板状に形成されており、上装飾シートＵＤ２や第１リールＲ１〜第３リールＲ３の前面側を覆って保護している。上装飾シートＵＤ２には、スロットマシン１の製品名や関連するキャラクタ等の画像、スロットマシン１の外面を装飾する画像、上パネルＵＤ１の裏面側に配置された不図示のランプ等を説明する文字や画像等が印刷されている。上装飾シートＵＤ２は、裏面側に配置された不図示のホルダと上パネルＵＤ１との間に挟み込んだ状態で保持されており、上パネルＵＤ１を介して前方から遊技者が視認可能となっている。
【００１６】
上装飾シートＵＤ２は、第１リールＲ１〜第３リールＲ３に対応する位置に表示窓ＤＷに合わせて開口が設けられており、この開口を介して遊技者が第１リールＲ１〜第３リールＲ３の回転状態及び停止状態を観察可能に形成されている。具体的には、第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）をスロットマシン１の正面から表示窓ＤＷを通じて観察できるようになっている。なお、前面上扉ＵＤは、上記上装飾シートの開口の代わりに、上装飾シートの第１リールＲ１〜第３リールＲ３に対応する位置に印刷が施されない透光領域が設けられて、この透光領域によって表示窓が形成されるように構成されていてもよい。
【００１７】
また、本実施形態のスロットマシン１では、表示窓ＤＷを通じて図柄を観察するための表示位置として、各リールについて上段、中段、下段が設けられており、各リールの表示位置の組合せによって有効ラインが設定されている。なお、本実施形態のスロットマシン１では、１回の遊技に関して必要となるメダルの数、いわゆる規定投入数がいずれの遊技状態においても３枚に設定されており、規定投入数に相当するメダルが投入されると第１リールＲ１〜第３リールＲ３の中段によって構成される有効ラインＬ１が有効化される。
【００１８】
そして、遊技結果は、表示窓ＤＷ内の有効ラインＬ１上に停止表示された図柄組合せによって判定され、有効ラインＬ１上の図柄組合せが予め定められた役に対応した図柄組合せである場合に、その役が入賞したものとしてホッパーユニット３２０からメダルの払い出し等が行われる。
【００１９】
前面上扉ＵＤには、遊技情報表示部ＤＳが設けられている。遊技情報表示部ＤＳは、ＬＥＤ、ランプ、７セグメント表示器等からなり、メダルのクレジット数、１回の遊技におけるメダルの払出数あるいは獲得数、ボーナス状態でのメダルの払出数の合計あるいは獲得数の合計、今回の遊技で当選した役の情報、メダルの払い出しに関係するストップボタンＢ１〜ストップボタンＢ３の押し方を示唆する情報の表示等の各種遊技情報が表示される。
【００２０】
遊技情報表示部ＤＳには、７セグメント表示器から構成される主制御表示装置５００が含まれており、規定投入数のメダルが投入されスタートレバーＳＬが傾動操作された際に、今回の遊技で当選した役の情報である当選情報に基づき作成される制御信号である当選コマンドに対応する表示である報知表示が表示され、報知表示の表示後に第１リールＲ１〜第３リールＲ３が停止した際に、報知表示が終了するとともにメダルの払出数あるいは獲得数が表示される。本実施形態のスロットマシン１では、当選コマンドに応じた表示態様で主制御表示装置５００の各セグメントが点灯及び消灯する報知表示が実行される。
【００２１】
また、主制御表示装置５００には、７セグメント表示器のドットであり、図示しない有利期間制御手段によって有利期間が開始されている場合に点灯し、有利期間が開始されていない、つまり非有利期間が開始されている場合に消灯することで有利期間が開始されているか否かを報知する有利期間報知部５００Ａが設けられている。
【００２２】
また、スロットマシン１には、遊技を補助したり、遊技を盛り上げたりする、遊技に関する演出を実行可能な演出装置３００が設けられている。演出装置３００には、前面上扉ＵＤに設けられている、表示装置３３０、可動役物装置３５０、及び複数の電飾装置３６０、前面下扉に設けられている複数の電飾装置３７０が含まれる。表示装置３３０は、例えば液晶ディスプレイから構成され、遊技の進行に応じて各種の映像や画像を表示する演出を実行する。可動役物装置３５０は、例えば、表示装置３３０の前方に配置されており、遊技の進行に応じてモータやソレノイド等の駆動手段により移動し、表示装置３３０の画面を遮蔽させたり露出させたりする演出を実行する。電飾装置３６０，３７０は、遊技の進行に応じて発光する演出を実行する。また、演出装置３００には、前面上扉ＵＤ及び前面下扉ＤＤに設けられている、複数の音響装置３８０，３９０を含む。音響装置３８０，３９０は、遊技の進行に応じて各種の音声を出力する演出を実行する。
【００２３】
前面下扉ＤＤは、正面視において前面下扉ＤＤと略同サイズで、電飾装置３７０、音響装置３９０、メダル受け皿ＭＰ等が取付けられる合成樹脂製の下扉ベースＤＢを有している。下扉ベースＤＢには、各種の操作手段が取付けられている操作部ＣＰが一体的に形成されている。操作部ＣＰは、上方を向いた操作部上面ＣＰａと、前方を向いた操作部前面ＣＰｂと、を有している。操作部上面ＣＰａには、遊技者が１枚ずつメダルを投入するためのメダル投入口ＭＩ、及びメダルがクレジット（貯留）されている状態で、クレジットされたメダルのうちから一度の操作によって規定投入数のメダルを投入する投入操作を受付ける投入操作手段としてのマックスベットボタンＭＢ（ベットボタン）が取付けられている。
【００２４】
操作部前面ＣＰｂには、投入操作手段としてのシングルベットボタンＢＴ、開始操作手段としてのスタートレバーＳＬを有するスタートレバーユニットＬＵ、停止操作手段としての複数のストップボタンであるストップボタンＢ１〜ストップボタンＢ３を有するストップボタンユニットＢＵ、ストップボタンユニットＢＵの前面側を覆うボタンカバーＢＣ及びクレジットされたメダルを清算するための清算ボタンＢＳが取付けられている。シングルベットボタンＢＴは、メダルがクレジットされている状態で、クレジットされたメダルのうちから１枚のメダルを投入する投入操作を受付ける。スタートレバーＳＬは、第１リールＲ１〜第３リールＲ３を回転させる契機となる開始操作を受付ける。ストップボタンＢ１〜ストップボタンＢ３は、ステッピングモータＭ（図４参照）により回転駆動されている第１リールＲ１〜第３リールＲ３のそれぞれを停止させる契機となる停止操作を受付ける。クレジットされているメダルは、貯留手段としての制御基板１０に記憶（貯留）されている。
【００２５】
本実施形態のスロットマシン１では、遊技者がメダルをメダル投入口ＭＩに投入するか、メダルが規定投入数以上にクレジットされている場合に、規定投入数と同じ回数シングルベットボタンＢＴを後方に向けて押下するシングルベット操作（投入操作）又はマックスベットボタンＭＢを下方に向けて押下するマックスベット操作（投入操作）を行うことで、規定投入数のメダルが投入状態に設定され、第１リールＲ１〜第３リールＲ３の回転制御を開始することが可能な準備状態にセットされる。そして、遊技者がスタートレバーＳＬに対してスタートレバーＳＬを傾動させる開始操作（傾動操作）を実行すると、制御基板１０において第１リールＲ１〜第３リールＲ３をステッピングモータＭの駆動により回転開始させるとともに、乱数を用いた内部抽選が行われ、第１リールＲ１〜第３リールＲ３の回転速度が所定の速度まで上昇し定常回転になったことを条件に、ストップボタンＢ１〜ストップボタンＢ３の押下操作が許可、すなわちストップボタンＢ１〜ストップボタンＢ３による停止操作が有効化される。
【００２６】
なお、本実施形態のスロットマシン１は、第１リールＲ１〜第３リールＲ３を回転開始させた場合に、ウェイト（又はウェイト時間）と称される待機時間（約４．１秒）を設定するように構成されている。そして、スロットマシン１は、待機時間の設定から待機時間が経過するまでの期間内に再び開始操作が行われた場合に、待機時間が経過した後に第１リールＲ１〜第３リールＲ３を回転開始させるように構成されている。
【００２７】
その後、遊技者が任意のタイミングでストップボタンＢ１〜ストップボタンＢ３を後方に向けて押下（以下、「押下タイミング」と記載）していくと、ストップボタンＢ１〜ストップボタンＢ３のそれぞれに内蔵されている停止信号出力手段としてのストップスイッチ３５（図９参照）がＯＮ動作を行い、制御基板１０へ出力するリール停止信号をＯＦＦ状態からＯＮ状態へ変化させる。
【００２８】
また、遊技者が任意のタイミングで押下状態にあるストップボタンＢ１〜ストップボタンＢ３を解放すると、ストップボタンＢ１〜ストップボタンＢ３それぞれに対応するストップスイッチがＯＦＦ動作を行い、制御基板１０へ出力するリール停止信号をＯＮ状態からＯＦＦ状態に変化させる。そして、制御基板１０は、ストップボタンＢ１〜ストップボタンＢ３の押下タイミング及び解放タイミングに応じて信号状態が変化するリール停止信号のＯＦＦ状態からＯＮ状態への変化に基づいて、内部抽選の結果に応じた停止位置で第１リールＲ１〜第３リールＲ３を停止させる。
【００２９】
また、前面下扉ＤＤの下部の下皿前面５１には、メダル払出口ＭＯとメダル受け皿ＭＰとが設けられており、遊技の結果に応じた枚数のメダルがメダル払出口ＭＯからメダル受け皿ＭＰへ払い出されるようになっている。また、制御基板１０にクレジットされたメダルが記憶されている状態で、清算ボタンＢＳが押下された場合、清算ボタンＢＳの押下に伴って清算ボタンＢＳに内蔵されているメダル清算スイッチ（不図示）がＯＮ動作を行い、制御基板１０へ出力するメダル清算信号をＯＦＦ状態からＯＮ状態へ変化させる。制御基板１０は、メダル清算信号のＯＦＦ状態からＯＮ状態への変化に伴って、第１リールＲ１〜第３リールＲ３が回転しておらずかつメダルがベットされていない状態に限り、ホッパーユニット３２０からクレジット数（クレジットされたメダルの枚数）に相当する枚数のメダルを払い出す清算処理を実行し、メダル払出口ＭＯからメダル受け皿ＭＰへメダルを払い出す。
【００３０】
下皿前面５１のメダル払出口ＭＯの左右には、証紙類（公的機関による試験の適合を証する証紙、特許権等の実施許諾を証する証紙、各遊技機の個別情報（機種情報や製造情報）を符号や数字等で記録した識別ラベル、銘板など）を配置するための証紙類配置部５２Ｌ、５２Ｒがそれぞれ配置されている。証紙類配置部５２Ｌ、５２Ｒは、例えば、証紙類を収容する凹部とそれを覆う透明カバーなどから構成することができる。あるいは、証紙類配置部５２Ｌ、５２Ｒは単に証紙類（証紙や銘板など）を貼付や接着するための平面部であってもよい。下皿前面５１の後方かつ証紙類配置部５２Ｌ、５２Ｒの左右外側には、上記の音響装置３９０，３９０が配置されており、音響装置３９０，３９０の前方の下皿前面５１には、音響装置３９０，３９０からの音を前方に出力するための多数の開口からなる開口部５３，５３が配置されている。
【００３１】
下皿前面５１は、後述する前面下扉ＤＤの傾斜面Ｓ１に対向する合わせ面ＤＤａと平行となるように形成されており、メダル払出口ＭＯの開口の前端縁ＭＯａも、合わせ面ＤＤａと平行となるように形成されている。また、開口部５３，５３の開口は、合わせ面ＤＤａと直交するように形成されている。これにより、前面下扉ＤＤの形状の簡略化を図り、生産コストの低減を図ることを可能としている。なお、開口部の開口は、射出成型において合わせ面ＤＤａと直交する方向に型抜き可能な形状であればよく、例えば内面に０〜１０°程度の抜き勾配が形成されていてもよいし、各孔の抜き勾配は１つの孔において一定でなくてもよい。また、証紙類配置部５２Ｌ，５２Ｒの証紙類を貼付ける平面部は、合わせ面ＤＤａと平行となるように形成されている。即ち、証紙類配置部５２Ｌ，５２Ｒに配置された証紙類は、上部よりも下部が前方となるように傾斜する。これにより、作業者や遊技者等が証紙類の情報を目視により確認する際、証紙類配置部５２Ｌ，５２Ｒよりも上方から証紙類を視認しやすくなり、証紙類の確認作業における作業性の向上を図っている。
【００３２】
上下方向において、前面下扉ＤＤの操作部ＣＰとメダル受け皿ＭＰとの間には、スロットマシン１の製品名や関連するキャラクタ等の画像を表示したり、スロットマシン１の外面を装飾したりするための、装飾シートとしての下装飾シート８３が配置されている。下装飾シート８３に係る前面下扉ＤＤの構成については、後述する。
【００３３】
［前面上扉及び前面下扉の開閉に係る構成］
次に、前面扉ＦＤの開閉に係る構成について説明する。図２及び図３に示すように、前面扉ＦＤは、前面上扉ＵＤ及び前面下扉ＤＤのそれぞれの左方側に設けられた蝶番ＨＮ（図４参照）を介して筐体ＢＸに支持されており、筐体ＢＸに対して右方側が開閉可能となっている。前面上扉ＵＤは、上施錠ユニット（不図示）を有し、前面下扉ＤＤは、下施錠ユニットＤＬを有する。
【００３４】
上施錠ユニットは、前面上扉ＵＤの右方側に設けられている。上施錠ユニットＵＬは、下扉ベースＤＢに取付けられる上施錠ベースＵＬａ、上施錠ベースＵＬａに対して傾動可能に支持され、筐体ＢＸに設けられた上被係合部ＢＸｃ（図４参照）に係合する位置と係合しない位置とに移動可能な上係合部ＵＬｂ、上係合部の移動を操作する係合操作部ＵＬｃ、及び上係合部と係合操作部ＵＬｃとを接続する上接続部（不図示）を有する。前面上扉ＵＤは、上施錠ユニットの上係合部ＵＬｂが上被係合部ＢＸｃに係合することにより、閉じている状態に施錠される。下施錠ユニットＤＬは、前面下扉ＤＤの右方側に設けられている。下施錠ユニットＤＬは、下扉ベースＤＢに取付けられる下施錠ベースＤＬａ、下施錠ベースＤＬａに対して傾動可能に支持され、筐体ＢＸに設けられた下被係合部ＢＸｄ（図４参照）に係合する位置と係合しない位置とに移動可能な下係合部ＤＬｂ、キー操作によって下係合部の移動を操作するシリンダ錠ＣＹ、及び下係合部ＤＬｂとシリンダ錠ＣＹとを接続する下接続部ＤＬｄを有する。前面下扉ＤＤは、下施錠ユニットＤＬの下係合部ＤＬｂが下被係合部ＢＸｄに係合することにより、閉じている状態に施錠される。前面扉ＦＤは、前面上扉ＵＤ及び前面下扉ＤＤが施錠されることにより、開口ＢＸａを閉じている状態となる。
【００３５】
前面上扉ＵＤは、前面扉ＦＤが開口ＢＸａを閉じている状態で傾斜面Ｓ１に対向する合わせ面ＵＤａを有し、前面下扉ＤＤは、前面扉ＦＤが開口ＢＸａを閉じている状態で傾斜面Ｓ１に対向する合わせ面ＤＤａを有している。また、前面上扉ＵＤは、前面上扉ＵＤの下端部に配置されて前方を向くように形成された下端前面ＵＤｂ（図６参照）を有している。前面下扉ＤＤは、前面下扉ＤＤの上端部に配置されて後方を向くように形成され、下端前面ＵＤｂに対向すると共に下端前面ＵＤｂに当接可能な上端後面ＤＤｂ（図６参照）を有している。
【００３６】
前面上扉ＵＤは、上端後面ＤＤｂが下端前面ＵＤｂに当接することにより、前面下扉ＤＤに対して開く方向への移動が規制される。このため、前面上扉ＵＤは、前面下扉ＤＤの下施錠ユニットＤＬの下係合部が下被係合部ＢＸｄに係合していない状態（前面下扉ＤＤが施錠されておらず、開いている状態）で、開閉可能となっている。また、前面下扉ＤＤは、前面上扉ＵＤの上施錠ユニットの上係合部が上被係合部ＢＸｃに係合している状態（前面上扉ＵＤが閉じて、施錠されている状態）で、前面下扉ＤＤとは独立して開閉可能となっている。
【００３７】
上施錠ユニットＵＬの係合操作部ＵＬｃは、前面下扉ＤＤが開いている状態で操作可能に露出するように配置されており、操作されることによって、上接続部を介して上施錠ユニットＵＬの上係合部ＵＬｂを上被係合部ＢＸｃに係合しない位置に移動させる。下施錠ユニットＤＬのシリンダ錠ＣＹは、合わせ面ＤＤａと直交する方向に沿って延びる円筒状に形成されて、前面下扉ＤＤに形成されたシリンダ用貫通孔ＤＢｃ（図１参照）から前端部ＣＹａ（図１参照）が前方に露出しており、挿入されたキーを回動させるキー操作が行われることによって、下接続部を介して下施錠ユニットＤＬの下係合部ＤＬｂを下被係合部ＢＸｄに係合しない位置に移動させる。
【００３８】
前面下扉ＤＤは、シリンダ用貫通孔ＤＢｃが合わせ面ＤＤａと直交する方向に形成されている。また、前面下扉ＤＤは、シリンダ用貫通孔ＤＢｃの前端側の開口の周囲に形成されたシリンダ周囲面ＤＢｄを有しており、シリンダ周囲面ＤＢｄが合わせ面ＤＤａと平行となるように形成されている。これにより、前面下扉ＤＤの形状の簡略化を図り、生産コストの低減を図ることを可能としている。なお、シリンダ貫通孔は、射出成型において合わせ面ＤＤａと直交する方向に型抜き可能な形状であればよく、例えば内面に０〜３°程度の抜き勾配が形成されていてもよいし、各孔の抜き勾配は１つの孔において一定でなくてもよい。
【００３９】
また、前面上扉ＵＤは、前面上扉ＵＤの下端部に配置されて下方を向くように形成された、分割部ＤＶにおける分割面である上扉下端面ＵＤｃを有している。前面下扉ＤＤは、前面下扉ＤＤの上端部に配置されて上方を向くように形成され、前面扉ＦＤが開口ＢＸａを閉じている状態で上扉下端面ＵＤｃに対向する、分割部ＤＶにおける分割面である下扉上端面ＤＤｃを有している。上扉下端面ＵＤｃ及び下扉上端面ＤＤｃは、合わせ面ＵＤａ，ＤＤａと直交する仮想平面Ｓ２に対して、前方に向けて上向きとなるように傾斜している。
【００４０】
これにより、本実施形態のスロットマシン１は、作業者が前面下扉ＤＤが開いている状態で前面上扉ＵＤを開く際、前面上扉ＵＤの右端側が自重により下がった状態で前面上扉ＵＤが移動する場合であっても、上扉下端面ＵＤｃが下扉上端面ＤＤｃに沿って案内されるように構成される。また、本実施形態のスロットマシン１は、作業者が前面上扉ＵＤが閉じている状態で前面下扉ＤＤを閉じる際、作業者が前面下扉ＤＤを持ち上げながら閉じる場合であっても、上扉下端面ＵＤｃが下扉上端面ＤＤｃに沿って案内されるように構成される。
【００４１】
このように構成されていることで、本実施形態のスロットマシン１は、作業者が前面上扉ＵＤ及び前面下扉ＤＤを互いに独立して開閉する際、前面下扉ＤＤの上端部の後方の角と、前面上扉ＵＤの下端部の前方の角とが衝突しにくくなり、前面上扉ＵＤ及び前面下扉ＤＤの開閉操作における操作性の向上を図っている。また、前面下扉ＤＤの上端部の後方の角と前面上扉ＵＤの下端部の前方の角とが衝突して破損することの防止を図っている。更に、上扉下端面ＵＤｃと下扉上端面ＤＤｃとが摺動する際の、上扉下端面ＵＤｃと下扉上端面ＤＤｃとが接触する圧力を低下させ、上扉下端面ＵＤｃと下扉上端面ＤＤｃとの摺動による傷付きの抑制を図っている。
【００４２】
［前面下扉及びスタートレバーユニットの詳細］
図６及び図７に示すように、下扉ベースＤＢは、スタートレバーユニットＬＵが取付けられるレバー取付面ＤＢｊ、スタートレバーユニットＬＵを下扉ベースＤＢに取付けるためのねじが挿入される複数のレバー取付穴ＤＢｋ、スタートレバーユニットＬＵが挿入されたレバー用貫通孔ＤＢｍ、及びレバー周囲面ＤＢｎを有しており、合わせ面ＤＤａに直交する方向を開き方向（抜き方向）とする金型を用いて射出成形によって形成されている。
【００４３】
レバー取付面ＤＢｊは、後方を向いて合わせ面ＤＤａに平行となるように形成されており、スタートレバーユニットＬＵに当接している。複数のレバー取付穴ＤＢｋは、レバー取付面ＤＢｊから前方に向かって延びており、合わせ面ＤＤａに直交する方向に沿って形成されている。レバー用貫通孔ＤＢｍは、レバー取付面ＤＢｊから前方に向かって延びており、合わせ面ＤＤａに直交する方向に沿って形成されている。即ち、複数のレバー取付穴ＤＢｋの中心線ＤＢＫＬ及びレバー用貫通孔ＤＢｍの中心線ＤＢｍＬは、合わせ面ＤＤａに直交している。
【００４４】
また、レバー周囲面ＤＢｎは、レバー用貫通孔ＤＢｍの前端側の開口の周囲に、合わせ面ＤＤａに平行となるように形成されている。なお、レバー周囲面ＤＢｎは、操作部前面ＣＰｂと同一の面として下扉ベースＤＢに形成されていてもよい。スタートレバーユニットＬＵは、後方から下扉ベースＤＢの操作部ＣＰに取付けられてねじ留めされ、前端側がレバー用貫通孔ＤＢｍを貫通して操作部ＣＰから前方に露出している。
【００４５】
スタートレバーユニットＬＵは、下扉ベースＤＢに取付けられる保持部４１、スタートレバーＳＬ、付勢手段としての復帰ばね４３、及び軸部４２の初期位置からの上下左右方向への傾動に基づいて開始操作を検知する傾動センサ４５を有している。スタートレバーＳＬは、揺動（傾動）可能に保持部４１に保持された軸部４２、及び軸部４２の前端部に取付けられた球状のグリップ４４を有している。
【００４６】
保持部４１は、レバー用貫通孔ＤＢｍに挿入される円筒状の円筒部４１ａ、及び下扉ベースＤＢに取付けるためのねじが貫通する複数のねじ貫通孔４１ｂを有し、合わせ面ＤＤａに直交する方向を開き方向（抜き方向）とする金型を用いて射出成形によって形成されている。円筒部４１ａ及び複数のねじ貫通孔４１ｂは、下扉ベースＤＢに取付けられた状態で、合わせ面ＤＤａに直交する方向に延びるように形成されている。即ち、円筒部４１ａの中心線４１ａＬ及び複数のねじ貫通孔４１ｂの中心線４１ｂＬは、合わせ面ＤＤａに直交している。
【００４７】
軸部４２は、初期位置に位置している状態、即ち遊技者による操作が行われていない状態で、操作部前面ＣＰｂから前方に向けて、合わせ面ＤＤａに直交する方向に延びている。復帰ばね４３は、軸部４２と保持部４１との間に配置されており、軸部４２を初期位置に向けて付勢する。軸部４２が初期位置から上下左右方向へ傾動すると、傾動センサ４５が制御基板１０（図４参照）に出力する検知信号がＯＦＦ状態からＯＮ状態に変化する。なお、軸部４２は、初期位置に位置している状態で合わせ面ＤＤａに厳密に直交する方向に延びているものに限定されない。軸部は、例えば、自重によって前端が下がり、合わせ面に直交する方向に対して０〜３°程度傾斜していてもよい。
【００４８】
［前面下扉及び清算ボタン及びシングルベットボタンの詳細］
下扉ベースＤＢは、合わせ面ＤＤａに直交する方向に延びて操作部前面ＣＰｂに形成され、図１に示す清算ボタンＢＳが挿入された清算ボタン用貫通孔（不図示）と、図１に示すシングルベットボタンＢＴが挿入されたシングルベットボタン用貫通孔（不図示）と、を有する。また、図１に示すように、下扉ベースＤＢは、清算ボタン用貫通孔の前端側の開口の周囲に合わせ面ＤＤａに平行となるように形成された清算ボタン周囲面ＤＢｐと、シングルベットボタン用貫通孔の前端側の開口の周囲に合わせ面ＤＤａに平行となるように形成されたシングルベットボタン周囲面ＤＢｑと、を有する。
【００４９】
［前面下扉及びストップボタンユニットの詳細］
図１、図８乃至図１０に示すように、下扉ベースＤＢは、ストップボタンユニットＢＵが取付けられるボタンユニット取付面ＤＢｅ、ストップボタンユニットＢＵを下扉ベースＤＢに取付けるためのねじが挿入される複数のボタンユニット取付穴ＤＢｆを有している。なお、図１０は、ストップボタンＢ２の中心で切断した図１におけるＣ−Ｃ断面図であるが、ストップボタンＢ１及びストップボタンＢ３の中心で切断した断面図も同様であるため、ストップボタンＢ１及びストップボタンＢ３については、図示を省略する。
【００５０】
ボタンユニット取付面ＤＢｅは、前方を向いて合わせ面ＤＤａに平行となるように形成されており、ストップボタンユニットＢＵに当接している。複数のボタンユニット取付穴ＤＢｆは、ボタンユニット取付面ＤＢｅから後方に向かって延びており、合わせ面ＤＤａに直交する方向に沿って形成されている。即ち、複数のボタンユニット取付穴ＤＢｆの中心線ＤＢｆＬは、合わせ面ＤＤａに直交している。
【００５１】
ストップボタンユニットＢＵは、前方から下扉ベースＤＢの操作部ＣＰに取付けられてねじ留めされ、操作部ＣＰに取付けられたボタンカバーによってストップボタンＢ１〜ストップボタンＢ３の周囲の前方側が被覆されている。ボタンカバーＢＣは、ストップボタンＢ１〜ストップボタンＢ３が貫通するボタン用貫通孔ＢＣａ、及びストップボタンＢ１〜ストップボタンＢ３のそれぞれのボタン用貫通孔ＢＣａの前端側の開口の周囲に、合わせ面ＤＤａと平行に形成された貫通孔周囲面ＢＣｂを有し、合成樹脂によって形成されている。下扉ベースＤＢに取付けられた状態で、ボタン用貫通孔ＢＣａは、後述するガイド穴３２ａの中心線３２ａＬと平行に延びるように形成されている。即ち、ボタン用貫通孔ＢＣａの中心線ＢＣａＬは、ガイド穴３２ａの中心線３２ａＬに平行となっている。また、貫通孔周囲面ＢＣｂは、中心線ＢＣａＬに直交するように形成されている。
【００５２】
図８乃至図１０に示すように、ストップボタンユニットＢＵは、下扉ベースＤＢに取付けられるボタンベース３１、ストップボタンＢ１〜ストップボタンＢ３、ボタンガイド３２を有し、また、ストップボタンＢ１〜ストップボタンＢ３のそれぞれに対して、ボタンばね３３、及びストップボタンＢ１〜ストップボタンＢ３の移動に基づいて停止操作を検知する透過型の光学センサであるストップスイッチ３５を有している。
【００５３】
ボタンベース３１は、下扉ベースＤＢのボタンユニット取付面ＤＢｅに当接する当接面３１ａ、下扉ベースＤＢに取付けるためのねじが貫通する複数のねじ貫通孔３１ｂ、ボタンガイド３２を保持する複数のボタンガイド保持部３１ｃ、及びストップスイッチ３５が取付けられるスイッチ取付部３１ｄを有し、合わせ面ＤＤａに直交する方向を開き方向（抜き方向）とする金型を用いて射出成形によって形成されている。当接面３１ａは、ストップボタンユニットＢＵが下扉ベースＤＢに取付けられた状態で、合わせ面ＤＤａに平行となるように形成されている。複数のねじ貫通孔３１ｂは、ストップボタンユニットＢＵが下扉ベースＤＢに取付けられた状態で、合わせ面ＤＤａに直交する方向に延びるように形成されている。即ち、ねじ貫通孔３１ｂの中心線３１ｂＬは、合わせ面ＤＤａに直交している。ボタンベース３１は、ボタンガイド３２との間にストップスイッチ３５を収納した状態で、複数のボタンガイド保持部３１ｃによってボタンガイド３２を保持する。
【００５４】
ボタンガイド３２は、ストップボタンＢ１〜ストップボタンＢ３のそれぞれに対応して形成され、ストップボタンＢ１〜ストップボタンＢ３の移動を案内するボタンガイド穴としてのガイド穴３２ａを有し、合わせ面ＤＤａに直交する方向を開き方向（抜き方向）とする金型を用いて射出成形によって形成されている。また、ボタンガイド３２は、ストップボタンＢ１〜ストップボタンＢ３の前方への移動を規制する前方規制面３２ｂ、ストップボタンＢ１〜ストップボタンＢ３の後方への移動を規制する後方規制面３２ｃ、及びボタン周囲面３２ｄを有している。
【００５５】
ガイド穴３２ａは、ストップボタンユニットＢＵが下扉ベースＤＢに取付けられた状態で、前端側が開口すると共に合わせ面ＤＤａに直交する方向に対して、前方側が上向きとなるように延びており、合わせ面ＤＤａに直交する方向に対して傾斜する方向にストップボタンＢ１〜ストップボタンＢ３の移動を案内する。即ち、ガイド穴３２ａの中心線３２ａＬは、合わせ面ＤＤａに直交する方向に対して、前方側が上向きとなるように傾斜している。前方規制面３２ｂ及び後方規制面３２ｃは、中心線３２ａＬに直交するように形成されている。ボタン周囲面３２ｄは、ストップボタンＢ１〜ストップボタンＢ３のそれぞれのガイド穴３２ａの前端側の開口の周囲に、中心線３２ａＬに直交するように形成されている。
【００５６】
ストップボタンＢ１〜ストップボタンＢ３は、それぞれ、遊技者が押圧可能な押圧部としての押圧面Ｂａ、前方規制面３２ｂに当接可能な前方当接面Ｂｂ、後方規制面３２ｃに当接可能な後方当接面Ｂｄ、及びストップスイッチ３５の光軸を遮光するインデックスＢｅを有する。ストップボタンＢ１〜ストップボタンＢ３は、ガイド穴３２ａに案内されて、前方当接面Ｂｂが前方規制面３２ｂに当接する位置から、後方当接面Ｂｄが後方規制面３２ｃに当接する位置までの間で、中心線３２ａＬに沿って移動可能となっている。ボタンばね３３は、ストップボタンＢ１〜ストップボタンＢ３とボタンガイド３２との間に配置され、ストップボタンＢ１〜ストップボタンＢ３を前方に向けて付勢する。
【００５７】
ストップボタンＢ１〜ストップボタンＢ３は、遊技者によって、ボタンばね３３の付勢力に抗して押圧面Ｂａが後方に向けて押圧され、インデックスＢｅがストップスイッチ３５の光軸を遮光する位置まで移動することにより、ストップスイッチ３５が制御基板１０に出力するリール停止信号をＯＦＦ状態からＯＮ状態へ変化させる。また、ストップボタンＢ１〜ストップボタンＢ３は、遊技者が押圧面Ｂａから手を離すと、ボタンばね３３の付勢力によって前方に移動し、インデックスＢｅがストップスイッチ３５の光軸を遮光しない位置まで移動することにより、ストップスイッチ３５が制御基板１０に出力するリール停止信号をＯＮ状態からＯＦＦ状態へ変化させる。
【００５８】
［ストップボタンの押圧面］
図６及び図１０に示すように、本実施形態におけるスロットマシン１において、押圧面Ｂａは、前方に向けて膨出する曲率の大きな球面状（例えば、半径が１００ｍｍ以上の球面状）に形成されており、押圧されていない初期位置に位置している状態で、合わせ面ＤＤａよりも上向きとなるように傾斜して設置されている。具体的には、押圧面Ｂａは、中心（中央部）Ｂｆにおける面直方向（垂線方向）Ａが、合わせ面ＤＤａと直交する方向よりも、前方側が上向きとなるように傾斜して設置されている。より具体的には、押圧面Ｂａは、面直方向Ａがガイド穴３２ａの中心線３２ａＬに沿う方向、即ち押圧面Ｂａの押圧方向となるように（中心線３２ａＬと平行になるように）設置されている。近年、表示装置の大型化やリールの大型化等に伴ってストップボタンが下方に配置される傾向があるが、本実施形態においては、押圧面Ｂａが上向きとなるように傾斜して設置されていることにより、遊技者がやや下方に向けてストップボタンＢ１〜ストップボタンＢ３を押圧可能となり、ストップボタンＢ１〜ストップボタンＢ３の操作性の向上を図ることを可能としている。
【００５９】
望ましくは、押圧面Ｂａを、筐体ＢＸの下面ＢＸｂに対して７５°から８６°の範囲で傾斜させて設置する。より望ましくは、押圧面Ｂａを、筐体ＢＸの下面ＢＸｂに対して７８°から８２°の範囲で傾斜させて設置する。これにより、従来機の操作に慣れている遊技者が操作に違和感を覚えることを抑制しつつ、一般的な高さに設置されたスロットマシン１を平均的な体格の遊技者が操作する際、操作しやすい方向へストップボタンＢ１〜ストップボタンＢ３が移動するように構成することが可能となり、高い操作性を得ることを可能としている。
【００６０】
また、本実施形態においては、押圧面Ｂａの面直方向Ａが、初期位置に位置しているスタートレバーＳＬの軸部４２の中心線４２Ｌの方向（軸方向）よりも、前方側が上向きとなるように傾斜して設置されている。即ち、押圧面Ｂａが、初期位置に位置している軸部４２の軸方向と直交する仮想平面Ｓ３よりも、上向きとなるように傾斜して設置されている。即ち、押圧面Ｂａの面直方向Ａは、合わせ面ＤＤａと直交する仮想平面Ｓ２（図２参照）よりも、前方側が上向きとなるように傾斜している。
【００６１】
望ましくは、押圧面Ｂａの面直方向Ａを、初期位置に位置しているスタートレバーＳＬの軸部４２の中心線４２Ｌの方向に対し、１°から１０°の範囲で傾斜させて設置する。より望ましくは、押圧面Ｂａの面直方向Ａを、初期位置に位置しているスタートレバーＳＬの軸部４２の中心線４２Ｌの方向に対し、３°から７°の範囲で傾斜させて設置する。これにより、スタートレバーＳＬの軸部４２の方向、下扉ベースＤＢの金型の抜き方向、合わせ面ＤＤａの方向等にとらわれず、ストップボタンＢ１〜ストップボタンＢ３を操作しやすい方向に設置することが可能となり、操作性の向上を図ることを可能としている。また、スタートレバーＳＬ及び押圧面Ｂａがこのような角度に設置されていることにより、スタートレバーＳＬを上方から下方に向けて傾動させる傾動操作の後、やや上方からストップボタンＢ１〜ストップボタンＢ３を操作するように、スタートレバーＳＬからストップボタンＢ１〜ストップボタンＢ３を流れるように操作することが可能となり、操作性の向上を図ることを可能としている。
【００６２】
押圧面Ｂａの上下方向の中心Ｂｆ（図１０参照）の位置は、スタートレバーＳＬのグリップ４４の中心である４４ｃ（グリップ４４の前端である４４ａ、図６参照）の上下方向の位置よりもやや上方に配置されている。これにより、遊技者が上方から下方に向けてスタートレバーＳＬの開始操作を行った後にストップボタンＢ１〜ストップボタンＢ３の停止操作を行う際、手の上下方向の移動量を少なくすることができ、ストップボタンＢ１〜ストップボタンＢ３の操作性の向上を図っている。
【００６３】
また、本実施形態の前面扉ＦＤは、ボタンユニット取付面ＤＢｅ、レバー取付面ＤＢｊ及びレバー周囲面ＤＢｎが、合わせ面ＤＤａに平行、即ち金型の開き方向に直交するように形成されている。これにより、下扉ベースＤＢ、ボタンベース３１及びボタンガイド３２は、上記各面が合わせ面ＤＤａと交差するように形成される場合と比較して、形状の簡略化を図ることが可能となるため、部品設計における設計コストの低減及び寸法精度の向上を図ることが可能となり、製品の歩留まりを向上して、生産コストの低減を図ることを可能としている。
【００６４】
また、本実施形態の前面扉ＦＤは、複数のボタンユニット取付穴ＤＢｆ、複数のレバー取付穴ＤＢｋ及びレバー用貫通孔ＤＢｍが、合わせ面ＤＤａに直交する方向に延びるように形成されている。これにより、下扉ベースＤＢ、ボタンベース３１、ボタンガイド３２及び保持部４１は、上記各面が合わせ面ＤＤａと交差するように形成される場合と比較して、形状の簡略化を図ることが可能となるため、設計コストの低減及び寸法精度の向上を図ることを可能としている。
【００６５】
なお、複数のボタンユニット取付穴ＤＢｆ、複数のレバー取付穴ＤＢｋ及びレバー用貫通孔ＤＢｍの各中心線は、合わせ面ＤＤａと厳密に直交するように形成されているものに限定されない。複数の施錠ユニット取付穴、シリンダ用貫通孔、複数のボタンユニット取付穴、複数のレバー取付穴、レバー用貫通孔、清算ボタン用貫通孔及びシングルベットボタン用貫通孔は、射出成型において合わせ面と直交する方向に型抜き可能な形状であればよい。また、例えば、複数のボタンユニット取付穴、複数のレバー取付穴及びレバー用貫通孔は、合わせ面に直交する方向に対して内面に０〜３°程度の抜き勾配が形成されていてもよいし、各孔の抜き勾配は１つの孔において一定でなくてもよい。
【００６６】
［リールユニットの詳細］
次に、リールユニット３１０の詳細について説明する。図４に示すように、筐体ＢＸは、側方に配置された左右の側板ＢＸｅ，ＢＸｆを有している。側板ＢＸｅ，ＢＸｆ間には、上フレーム１１及び中フレーム１２が上下方向に離間して架け渡されている。
【００６７】
リールユニット３１０は、上フレーム１１及び中フレーム１２にねじ留めされるリールベースＢＡと、リールベースＢＡに保持され、第１リールＲ１〜第３リールＲ３のそれぞれに設けられて各リールを回転駆動するステッピングモータＭと、各ステッピングモータＭの駆動軸に支持された第１リールＲ１〜第３リールＲ３と、第１リールＲ１〜第３リールＲ３のそれぞれに対応して設けられて各リールの回転位置を検出するための透過型の光学センサであるリールセンサ２６（図１１参照）と、を有する。また、リールユニット３１０は、第１リールＲ１〜第３リールＲ３のそれぞれに設けられて各リールを内側から前方に向けて照明する複数のＬＥＤ１３（図５（ａ）参照）を有するバックライトとしてのリールバックライト基板ＢＬと、リールベースＢＡに保持されると共にリールバックライト基板ＢＬを保持し、リールバックライト基板ＢＬからの光を反射して前方に案内するリフレクタＲＬと、を有する。
【００６８】
図１１に示すように、第１リールＲ１〜第３リールＲ３は、それぞれ、リールフレームＦＲと、複数の図柄が長手方向に沿って配置された薄い帯状のリールテープＴ１，Ｔ２，Ｔ３と、インデックス部２７と、を有する。インデックス部２７は、リールセンサ２６の光軸を遮蔽可能にリールフレームＦＲに保持されており、リールセンサ２６の光軸を遮蔽及び透過するタイミングによってリールセンサ２６に各リールの回転位置を検出させる。
【００６９】
リールフレームＦＲは、ステッピングモータＭの回転軸に取付けられるハブ部２４と、第１円環部（円環部）としての第１リム部２１及び第２円環部（円環部）としての第２リム部２２と、これら第１及び第２リム部２１，２２の間を接続する複数の接続部２３と、複数のスポーク部２５と、を有し、透光性が高い（本実施形態では透明な）合成樹脂によって一体的に形成されている。
【００７０】
第１リム部２１及び第２リム部２２は、ステッピングモータＭの回転軸と同心の円環状に形成され、左右方向、即ちリールテープＴ１〜リールテープＴ３の長手方向Ｂと直交する短手方向（幅方向）Ｃに離間して配置されている。接続部２３は、第１リム部２１及び第２リム部２２の円周上の異なる位置に複数設けられて、第１リム部２１及び第２リム部２２の間を架け渡すように短手方向Ｃに沿って延在し、第１リム部２１及び第２リム部２２を接続している。
【００７１】
なお、リールフレームは、接続部を有しておらず、第１リム部と第２リム部とが独立して形成され、リールテープによって第１リム部と第２リム部とが接続されるように構成されていてもよい。また、リールフレームは、着色された合成樹脂によって形成されていてもよく、着色された合成樹脂（例えば黒色の合成樹脂）によって形成されている場合、上述のインデックス部をリールフレームと一体的に形成することが可能となる。
【００７２】
スポーク部２５は、第１リム部２１及び第２リム部２２の円周上の異なる位置に複数設けられて、第１リム部２１及び第２リム部２２のいずれかとハブ部２４とを接続し、ステッピングモータの回転力をハブ部２４から第１リム部２１及び第２リム部２２へ伝達する。本実施形態では、スポーク部２５は、ハブ部２４と第１リム部２１とを接続している。
【００７３】
第１リム部２１及び第２リム部２２のそれぞれの外周には、左右方向に所定の幅（例えば３．５ｍｍ〜６．５ｍｍ程度）を有して形成され、各リールテープＴ１〜リールテープＴ３の内面（裏面）に当接して各リールテープＴ１〜リールテープＴ３の左右端部をリールの径方向に支持する円筒面状の端部支持面２１ａ，２２ａが形成されている。また、第１リム部２１及び第２リム部２２は、端部支持面２１ａ，２２ａよりも左右方向の外側に、各リールテープＴ１〜リールテープＴ３の短手方向端に当接可能なフランジ部２１ｂ、２２ｂを有している。フランジ部２１ｂ、２２ｂは、例えば、左右方向に０．７ｍｍ〜１．５ｍｍ程度の幅となるように形成されており、各リールテープＴ１〜リールテープＴ３の左右方向の位置を規制している。接続部２３には、第１リム部２１及び第２リム部２２の端部支持面２１ａ，２２ａと連続し、第１リム部２１及び第２リム部２２の間で各リールテープＴ１〜リールテープＴ３をリールの径方向に支持するための接続支持面２３ａが形成されている。端部支持面２１ａ，２２ａ及び接続支持面２３ａによって、各リールテープＴ１〜リールテープＴ３をリールの径方向に支持する支持面ＦＲａが形成されている。
【００７４】
［リールバックライト基板及びリフレクタの詳細］
次に、リールバックライト基板ＢＬ及びリフレクタＲＬについて説明する。第１リールＲ１〜第３リールＲ３の各リールに設けられたリールバックライト基板ＢＬ及びリフレクタＲＬは、同様の構成であるため、以下、第１リールＲ１を例に説明し、第２リールＲ２及び第３リールＲ３の説明については省略する。
【００７５】
図５（ａ）は、リールテープＴ１を退避させた状態の第１リールＲ１の正面図、図５（ｂ）は、第１リールＲ１を右方から視た（リールの回転軸方向から視た）図５（ａ）のＦ−Ｆ断面図である。図５（ａ）及び図５（ｂ）に示すように、第１リールＲ１のリールバックライト基板ＢＬは、制御基板１０（図４参照）と電気的に接続するためのコネクタＣＮと、リールバックライト基板ＢＬに形成されたプリント配線１５及びビア１６やコネクタＣＮを介して制御基板１０から電力が供給される複数のＬＥＤ１３と、が設けられている。リールバックライト基板ＢＬは、リールテープＴ１によって前方側が覆われている。
【００７６】
例えば、リールバックライト基板ＢＬは、その表面（前面、正面側の面）ＢＬ１に、複数のＬＥＤ１３として、第１リールＲ１の上段を照明するＬＥＤ１３、第１リールＲ１の中段を照明するＬＥＤ１３及び第１リールＲ１の下段を照明するＬＥＤ１３が、それぞれ３個ずつ左右方向に並べて配置されており、合計で９個のＬＥＤ１３が設けられている。なお、以下の記載において、第１リールＲ１の上段を照明する３個のＬＥＤ１３を上段ＬＥＤ１３ａ、第１リールＲ１の中段を照明するＬＥＤ１３を中段ＬＥＤ１３ｂ、第１リールＲ１の下段を照明するＬＥＤ１３を下段ＬＥＤ１３ｃ、とも記載する。
【００７７】
また、リールバックライト基板ＢＬは、その表面ＢＬ１に、各ＬＥＤ１３を識別するためのＬＥＤ識別表示１７（識別符号）が付されている。各ＬＥＤ識別表示１７は、例えば、シルク印刷等によって各ＬＥＤ１３の近傍に印刷されており、文字列で構成されている。なお、文字列とは、文字、記号、数字等を含み、１字であるものを含む。具体的には、各ＬＥＤ識別表示１７は、部品の種類を識別可能とする文字列からなる部品識別部と、１つのリールバックライト基板ＢＬ内における固有の数字からなり、ＬＥＤ１３の位置を識別可能とする位置識別部と、を有している。
【００７８】
例えば、ＬＥＤ識別表示１７は、部品識別部として文字列「ＬＥＤ」と、各ＬＥＤ１３の位置を識別する位置識別部として数字「１」〜数字「９」までのそれぞれ固有の数字と、から構成されて、それぞれ文字列「ＬＥＤ１」〜文字列「ＬＥＤ９」のように付されている。また、各ＬＥＤ識別表示１７は、各ＬＥＤ１３に対して同じ側に隣接して配置されている。本実施形態において、各ＬＥＤ識別表示１７は、各ＬＥＤ１３に対して下側に隣接して配置されている。
【００７９】
また、図５（ａ）に示すように、ＬＥＤ識別表示１７は、文字列の配列方向、及び文字の向き（単一の文字の読み取りの向き）が統一されるように、表面ＢＬ１に付されている。例えば、ＬＥＤ識別表示１７は、文字列の配列方向が左右方向（横書き）、かつ文字の向き（文字の読み取りの向き）が正面視で正しい向き（正方向、読み取りできる向き）となるように表面ＢＬ１に付されている。このように構成されて、リールバックライト基板ＢＬは、ＬＥＤ識別表示１７の読み取り作業性を向上することにより、作業者がＬＥＤ１３を識別する際の作業性を向上している。
【００８０】
なお、ＬＥＤ識別表示は、各ＬＥＤに対して同じ側に隣接して配置されていればよく、例えば、各ＬＥＤに対して上側に配置されていてもよいし、右側や左側に配置されていてもよい。また、リールバックライト基板上の全てのＬＥＤ識別表示が、各ＬＥＤに対して同じ側に隣接して配置されているものに限らず、少なくとも２つのＬＥＤ識別表示が、対応するＬＥＤの同じ側に隣接して配置されていればよい。
【００８１】
また、ＬＥＤ識別表示は、文字列の配列方向が上下方向（縦書き）であってもよく、文字列が上から下に向けて並べられていてもよいし、文字列が下から上に向けて並べられていてもよい。また、ＬＥＤ識別表示は、文字の向き（文字の読み取りの向き）が正面視で正しい向き（正方向、読み取りできる向き）となるように表面ＢＬ１に付されているものに限らず、文字の向きが正方向に対して９０°回転した向きとなるように配置されていてもよいし、正方向に対して傾斜した向きとなるように配置されていてもよいし、全てのリールバックライト基板上の全てのＬＥＤ識別表示の文字の向きが同じでなくてもよい。
【００８２】
また、ＬＥＤ識別表示１７は、リールバックライト基板ＢＬの表面ＢＬ１上のランド１４、プリント配線１５、ビア１６、不図示のスルーホール等を避けた位置に配置されている。これにより、リールバックライト基板ＢＬは、これらランド１４、プリント配線１５、ビア１６、スルーホール等とＬＥＤ識別表示１７とが重なってＬＥＤ識別表示１７が読み取りにくくなることを防止している。
【００８３】
リフレクタＲＬは、遮光性を有すると共に光を反射しやすい材料、例えば白色の合成樹脂で形成されている。リフレクタＲＬは、リールバックライト基板ＢＬの表面ＢＬ１に対向して配置され、後方側においてリールバックライト基板ＢＬを保持している。また、リフレクタＲＬは、複数のＬＥＤ１３に対応して形成され、ＬＥＤ１３を前方に向けて露出させる複数の開口を有している。
【００８４】
本実施の形態において、リフレクタＲＬは、上段ＬＥＤ１３ａを露出させる上段開口１８ａ、中段ＬＥＤ１３ｂを露出させる中段開口１８ｂ、及び下段ＬＥＤ１３ｃを露出させる下段開口１８ｃの、計３個の開口が形成されている。これら上段開口１８ａ、中段開口１８ｂ及び下段開口１８ｃは、互いに上下方向に離間して配置されている。なお、複数の開口は、少なくとも、上段ＬＥＤを露出させる開口、中段ＬＥＤを露出させる開口及び下段ＬＥＤを露出させる開口が、それぞれ独立していればよく、３個以上であってもよい。また、１つの開口が複数のＬＥＤを露出させるように形成されていてもよいし、１つの開口が１個のＬＥＤを露出させるように形成されていてもよい。
【００８５】
上述した全てのＬＥＤ識別表示１７は、リフレクタＲＬによって覆われることなく、上段開口１８ａ、中段開口１８ｂ及び下段開口１８ｃのいずれかの開口により全体が露出されている。言い換えると、全てのＬＥＤ識別表示１７は、リールテープＴ１及びリールフレームＦＲを退避させた状態で、前方から視て全体が視認可能となっている。これにより、リールバックライト基板ＢＬから外すことなくＬＥＤ識別表示１７の読み取りが可能となり、作業者がＬＥＤ１３を識別する際の作業性を向上している。なお、リールバックライト基板は、表面上の全てのＬＥＤ識別表示がリフレクタの開口によって全体が露出されているものに限定されず、例えば、表面上の複数のＬＥＤ識別表示のうち、一部のＬＥＤ識別表示がリフレクタの開口によって全体が露出されているものであってもよい。
【００８６】
リフレクタＲＬは、上段ＬＥＤ１３ａの前方に配置されて上段ＬＥＤ１３ａからの光を前方に向けて反射する上段反射面１９ａと、中段ＬＥＤ１３ｂの前方に配置されて中段ＬＥＤ１３ｂからの光を前方に向けて反射する中段反射面１９ｂと、下段ＬＥＤ１３ｃの前方に配置されて下段ＬＥＤ１３ｃからの光を前方に向けて反射する下段反射面１９ｃと、を有している。
【００８７】
例えば、上段反射面１９ａは、上段ＬＥＤ１３ａに対して、上方に配置された上段上反射面１９ａ１、下方に配置された上段下反射面１９ａ２、左方に配置された上段左反射面１９ａ３、及び右方に配置された上段右反射面１９ａ４を有している。同様に、中段反射面１９ｂは、中段ＬＥＤ１３ｂに対して、上方に配置された中段上反射面１９ｂ１、下方に配置された中段下反射面１９ｂ２、左方に配置された中段左反射面１９ｂ３、及び右方に配置された中段右反射面１９ｂ４を有している。同様に、下段反射面１９ｃは、下段ＬＥＤ１３ｃに対して、上方に配置された下段上反射面１９ｃ１、下方に配置された下段下反射面１９ｃ２、左方に配置された下段左反射面１９ｃ３、及び右方に配置された下段右反射面１９ｃ４を有している。例えば、各反射面１９ａ１〜１９ａ４，１９ｂ１〜１９ｂ４，１９ｃ１〜１９ｃ４は、それぞれ平面状に形成されている。
【００８８】
本実施形態においては、上段上反射面１９ａ１、上段下反射面１９ａ２、上段左反射面１９ａ３及び上段右反射面１９ａ４の後方端（上段反射面１９ａの後方端）によって上段開口１８ａが形成され、中段上反射面１９ｂ１、中段下反射面１９ｂ２、中段左反射面１９ｂ３及び中段右反射面１９ｂ４の後方端（中段反射面１９ｂの後方端）によって中段開口１８ｂが形成され、下段上反射面１９ｃ１、下段下反射面１９ｃ２、下段左反射面１９ｃ３及び下段右反射面１９ｃ４の後方端（下段反射面１９ｃの後方端）によって下段開口１８ｃが形成されている。
【００８９】
上段反射面１９ａの後方端、中段反射面１９ｂの後方端及び下段反射面１９ｃの後方端は、リールバックライト基板ＢＬの表面ＢＬ１に対して略平行となるように近接配置されたリフレクタ後面ＲＬ１上に配置されている。また、上段上反射面１９ａ１、上段下反射面１９ａ２、上段左反射面１９ａ３及び上段右反射面１９ａ４の前方端（上段反射面１９ａの前方端）と、中段上反射面１９ｂ１、中段下反射面１９ｂ２、中段左反射面１９ｂ３及び中段右反射面１９ｂ４の前方端（中段反射面１９ｂの前方端）と、下段上反射面１９ｃ１、下段下反射面１９ｃ２、下段左反射面１９ｃ３及び下段右反射面１９ｃ４の後方端（下段反射面１９ｃの後方端）と、はリールテープＴ１の内面に沿うように近接配置された円筒面状のリフレクタ前面ＲＬ２上に配置されている。
【００９０】
このように構成されて、上段反射面１９ａは、上段ＬＥＤ１３ａからの光を前方に向けて案内する上段発光領域Ａａを区画し、中段反射面１９ｂは、中段ＬＥＤ１３ｂからの光を前方に向けて案内する中段発光領域Ａｂを区画し、下段反射面１９ｃは、下段ＬＥＤ１３ｃからの光を前方に向けて案内する下段発光領域Ａｃを区画している。また、上段反射面１９ａ、中段反射面１９ｂ及び下段反射面１９ｃは、各発光領域と外部との間を遮光して、かつ隣接する発光領域間や外部へのＬＥＤ１３の光漏れを抑制している。また、各発光領域は、後方から前方に向けて徐々に広がるように形成されている。
【００９１】
図５（ｂ）に示すように、上段反射面１９ａ、中段反射面１９ｂ及び下段反射面１９ｃは、上段上反射面１９ａ１の前方端と上段下反射面１９ａ２の前方端との距離ｌａと、中段上反射面１９ｂ１の前方端と中段下反射面１９ｂ２の前方端との距離ｌｂと、下段上反射面１９ｃ１の前方端と下段下反射面１９ｃ２の前方端との距離ｌｃと、が略等しい距離となるように形成されている（ｌａ≒ｌｂ≒ｌｃ）。なお、本実施形態において、「略等しい距離」とは、厳密に等しい距離のみを指すものではなく、例えば、３ｍｍ程度の差を有する距離を許容するものである。
【００９２】
本実施形態では、上段反射面１９ａ、中段反射面１９ｂ及び下段反射面１９ｃは、側面視（リール回転軸方向視）でリールバックライト基板ＢＬの表面ＢＬ１に沿った方向Ｄにおいて、上段ＬＥＤ１３ａ、中段ＬＥＤ１３ｂ及び下段ＬＥＤ１３ｃがそれぞれ、上段上反射面１９ａ１の前方端と上段下反射面１９ａ２の前方端との略中央、中段上反射面１９ｂ１の前方端と中段下反射面１９ｂ２の前方端との略中央、下段上反射面１９ｃ１の前方端と下段下反射面１９ｃ２の前方端との略中央に配置されるように形成されている。
【００９３】
言い換えると、リールバックライト基板ＢＬの表面ＢＬ１と直交し、上段ＬＥＤ１３ａの中心を通る仮想線ＣＬａと上段上反射面１９ａ１の前方端との距離ｇ１と、仮想線ＣＬａと上段下反射面１９ａ２の前方端との距離ｇ２と、は略等しい距離となっている（ｇ１≒ｇ２）。また、リールバックライト基板ＢＬの表面ＢＬ１と直交し、中段ＬＥＤ１３ｂの中心を通る仮想線ＣＬｂと中段上反射面１９ｂ１の前方端との距離ｈ１と、仮想線ＣＬｂと中段下反射面１９ｂ２の前方端との距離ｈ２と、は略等しい距離となっている（ｈ１≒ｈ２）。また、リールバックライト基板ＢＬの表面ＢＬ１と直交し、下段ＬＥＤ１３ｃの中心を通る仮想線ＣＬｃと下段上反射面１９ｃ１の前方端との距離ｉ１と、仮想線ＣＬｃと下段下反射面１９ｃ２の前方端との距離ｉ２と、は略等しい距離となっている（ｉ１≒ｉ２）。
【００９４】
これにより、各発光領域の上部と下部との明るさの差を抑制することにより、遊技者が方向Ｄと直交する方向である方向Ｅから各リールを視た場合に、上段ＬＥＤ１３ａ、中段ＬＥＤ１３ｂ及び下段ＬＥＤ１３ｃからの光が各発光領域において上下方向に偏って見えることを抑制して、リールの見栄えを良好にしている。
【００９５】
なお、上段反射面１９ａ及び下段反射面１９ｃは、方向Ｄにおいて、上段ＬＥＤ１３ａが上段上反射面１９ａ１の前方端と上段下反射面１９ａ２の前方端との中央よりも下方に配置され、下段ＬＥＤ１３ｃが下段上反射面１９ｃ１の前方端と下段下反射面１９ｃ２の前方端との中央よりも上方に配置されるように形成されていてもよい（ｇ１＞ｇ２、ｉ２＞ｉ１）。
【００９６】
このように形成されることにより、上段反射面１９ａは、方向Ｄにおいて、上段ＬＥＤ１３ａが上段上反射面１９ａ１の前方端と上段下反射面１９ａ２の前方端との略中央に配置される場合と比較して、上段ＬＥＤ１３ａと上段上反射面１９ａ１の前方端との距離と、上段ＬＥＤ１３ａと上段下反射面１９ａ２の前方端との距離と、の差を小さくし、上段発光領域Ａａの上部と下部との明るさの差を抑制して、リールの見栄えを良好にすることが可能となる。
【００９７】
また、同様に、下段反射面１９ｃは、方向Ｄにおいて、下段ＬＥＤ１３ｃが下段上反射面１９ｃ１の前方端と下段下反射面１９ｃ２の前方端との略中央に配置される場合と比較して、下段ＬＥＤ１３ｃと下段上反射面１９ｃ１の前方端との距離と、下段ＬＥＤ１３ｃと下段下反射面１９ｃ２の前方端との距離と、の差を小さくし、下段発光領域Ａｃの上部と下部との明るさの差を抑制して、リールの見栄えを良好にすることが可能となる。
【００９８】
また、本実施形態において、上段反射面１９ａ、中段反射面１９ｂ及び下段反射面１９ｃは、方向Ｅと上段下反射面１９ａ２との角度α２、方向Ｅと中段上反射面１９ｂ１との角度β１、方向Ｅと中段下反射面１９ｂ２との角度β２、及び方向Ｅと下段上反射面１９ｃ１との角度γ１が、略等しい角度となるように形成されている（α２≒β１≒β２≒γ１）。これにより、隣接する一方の発光領域と他方の発光領域との境界部分において、ＬＥＤからの光の反射量の差を抑制し、一方の発光領域が他方の発光領域よりも暗く見える（又は明るく見える）ことを抑制して、リールの見栄えを良好にしている。なお、本実施形態において、「略等しい角度」とは、厳密に等しい角度のみを指すものではなく、例えば、５°程度の差を有する角度を許容するものである。
【００９９】
また、方向Ｄにおける、上段上反射面１９ａ１の前方端と上段下反射面１９ａ２の前方端との距離を距離ｇ、中段上反射面１９ｂ１の前方端と中段下反射面１９ｂ２の前方端との距離を距離ｌｂ、下段上反射面１９ｃ１の前方端と下段下反射面１９ｃ２の前方端との距離を距離ｉ、とした場合、上述したようにリフレクタ前面ＲＬ２がリールテープＴ１の内面に沿うように円筒面状に形成されているため、上段反射面１９ａ、中段反射面１９ｂ及び下段反射面１９ｃは、距離ｇ及び距離ｉが距離ｌｂよりも小さい距離となるように形成される（ｌｂ＞ｇ、ｌｂ＞ｉ）。
【０１００】
更に、方向Ｅにおける上段下反射面１９ａ２の長さと、方向Ｅにおける中段上反射面１９ｂ１の長さ（中段下反射面１９ｂ２の長さ）と、方向Ｅにおける下段上反射面１９ｃ１の長さと、の互いの長さの差が小さいため、上段反射面１９ａ、中段反射面１９ｂ及び下段反射面１９ｃは、仮想線ＣＬａと上段下反射面１９ａ２の後方端との距離ｊ２と、仮想線ＣＬｃと下段上反射面１９ｃ１の後方端との距離ｍ１とが、仮想線ＣＬｂと中段上反射面１９ｂ１の後方端との距離ｋ１（中段下反射面１９ｂ２の後方端との距離ｋ２）よりも、小さくなるように形成される（ｋ１≒ｋ２＞ｊ２、ｋ１≒ｋ２＞ｍ１）。
【０１０１】
言い換えると、上段ＬＥＤ１３ａ、中段ＬＥＤ１３ｂ及び下段ＬＥＤ１３ｃは、上段ＬＥＤ１３ａと上段下反射面１９ａ２との方向Ｄに沿った距離と、下段ＬＥＤ１３ｃと下段上反射面１９ｃ１との方向Ｄに沿った距離と、が中段ＬＥＤ１３ｂと中段上反射面１９ｂ１との方向Ｄに沿った距離（中段ＬＥＤ１３ｂと中段下反射面１９ｂ２との方向Ｄに沿った距離）よりも小さくなるように配置されている。
【０１０２】
また、本実施形態では、上段反射面１９ａ、中段反射面１９ｂ及び下段反射面１９ｃは、方向Ｄにおける、上段上反射面１９ａ１の後方端と上段下反射面１９ａ２の後方端との距離ｊ、中段上反射面１９ｂ１の後方端と中段下反射面１９ｂ２の後方端との距離ｋ、下段上反射面１９ｃ１の後方端と下段下反射面１９ｃ２の後方端との距離ｍは、互いに略等しい距離となるように形成されている（ｊ≒ｋ≒ｍ）。
【０１０３】
言い換えると、リフレクタＲＬは、上段開口１８ａ、中段開口１８ｂ及び下段開口１８ｃの方向Ｄにおけるサイズが略等しくなるように形成されている。また、言い換えると、上段ＬＥＤ１３ａ、中段ＬＥＤ１３ｂ及び下段ＬＥＤ１３ｃは、距離ｊ１及び距離ｍ２が距離ｋ１（距離ｋ２）よりも大きくなるように配置されている（ｊ１＞ｋ１≒ｋ２、ｍ２＞ｋ１≒ｋ２）。即ち、方向Ｅから視て、上段ＬＥＤ１３ａは、上段開口１８ａの中心よりも下方に配置され、下段ＬＥＤ１３ｃは、下段開口１８ｃの中心よりも上方に配置されている。これにより、光を反射しにくい各反射面の後端部の大きさの差（各開口のサイズの差）を小さくすることで各発光領域の明るさの差を抑制し、リールの見栄えを良好にしている。
【０１０４】
また、方向Ｅから視て、上段ＬＥＤ１３ａが上段開口１８ａの中心に配置される場合と比較して、上段ＬＥＤ１３ａと上段上反射面１９ａ１の前方端との距離と、上段ＬＥＤ１３ａと上段下反射面１９ａ２の前方端との距離と、の差を小さくし、上段発光領域Ａａの上部と下部との明るさの差を抑制して、リールの見栄えを良好にしている。また、同様に、下段ＬＥＤ１３ｃが下段開口１８ｃの中心に配置される場合と比較して、下段ＬＥＤ１３ｃと下段上反射面１９ｃ１の前方端との距離と、下段ＬＥＤ１３ｃと下段下反射面１９ｃ２の前方端との距離と、の差を小さくし、下段発光領域Ａｃの上部と下部との明るさの差を抑制して、リールの見栄えを良好にしている。
【０１０５】
このように構成された本実施形態において、上段反射面１９ａ、中段反射面１９ｂ及び下段反射面１９ｃは、方向Ｅと上段上反射面１９ａ１との角度α１が角度α２よりも大きく、方向Ｅと下段下反射面１９ｃ２との角度γ２が角度γ１よりも大きくなるように形成されている（α１＞α２、γ２＞γ１）。
【０１０６】
［リールテープの詳細］
リールテープＴ１〜リールテープＴ３は、それぞれ図柄の配置（図柄が並ぶ順番）が異なるように、透明な合成樹脂製の基材６０の裏面に、例えば、複数層のスクリーン印刷等によって図柄等が印刷されており、円筒状（無端状）になるようにリールフレームＦＲの支持面ＦＲａに巻き回されている。リールテープＴ１〜リールテープＴ３は、図柄の配置や後述するリールテープ識別表示７０が異なり、他の構成は同様であるため、以下、リールテープＴ１を例に説明し、リールテープＴ２及びリールテープＴ３の詳細については省略する。
【０１０７】
図１２（ａ）はリールテープＴ１を表面側から見た図であり、図１２（ｂ）はリールテープＴ１を裏面側から見た図である。図１２（ａ）及び（ｂ）に示すように、リールテープＴ１は、透明な基材６０に対し、裏面に近い側から順番に、複数の図柄を形成する印刷、表面から視て図柄の周囲に背景部Ｈを形成する背景印刷６１、リールバックライト基板ＢＬからの光を遮蔽するための遮光印刷６２、リールバックライト基板ＢＬからの光を拡散するための拡散印刷６４が積層されて形成されている。
【０１０８】
上記リールテープＴ１は、リールフレームＦＲ（図１１参照）に、一方側の端部Ｔ１１に対して他方側の端部Ｔ１２が外側から重なるような形で巻回されており、上記背景印刷６１及び遮光印刷６２は、リールテープＴ１の他端側については、その端部（以下、他方端という）Ｔ１ｂまで印刷されているが、一方側の端部Ｔ１１については、リールテープＴ１の端部（以下、一方端という）Ｔ１ａの手前で印刷が終わっている。
【０１０９】
このため、リールテープＴ１の一方側の端部Ｔ１１には、上記図柄の印刷、背景印刷６１及び遮光印刷６２が行われていない透明部６３が形成されている。また、リールテープＴ１に形成される複数の図柄は、リールフレームＦＲに取り付けられた状態で表面（外面）から視認可能となるように、リールテープＴ１の長手方向Ｂに沿って一列状に並んで配置されており、これら複数の図柄には、第１図柄Ｐ１（図柄「７」）、第２図柄Ｐ２図柄（図柄「チェリー」）、第３図柄Ｐ３（図柄「スイカ」）、第４図柄Ｐ４（図柄「リプレイ」）及び第５図柄Ｐ５（図柄「ベル」）などを含んでいる。なお、リールテープＴ１〜リールテープＴ３に配置されている各図柄は、機種固有にデザインされた数字、文字列、フルーツ、キャラクタ等や、これらの組合せからなる。また、以下の説明において、上記複数の図柄の内、一方側の端に形成された図柄を０番図柄、他方側の端に形成された図柄を１番図柄ともいう。なお、リールテープには、第１図柄〜第５図柄がそれぞれ複数配置されていてもよいし、１つずつ配置されていてもよい。
【０１１０】
上記第１図柄Ｐ１（図柄「７」）は、少なくとも短手方向Ｃにおいて他の図柄よりも大きく形成されており、リールの回転中における視認性が高い図柄となっている。また、第１図柄Ｐ１は、第１の塗料によって形成されてリールバックライト基板ＢＬからの光を透過しやすい透光部Ｐ１ｂと、第１の塗料とは異なる第２の塗料によって透光部Ｐ１ｂの周囲に形成された縁部Ｐ１ａと、を有している。第１の塗料は、例えば、リールバックライト基板ＢＬからの光が透過可能な塗料である。第２の塗料は、例えば、第１の塗料よりも光が透過しにくい黒色、暗灰色、濃紺等の塗料や、金属光沢を有する塗料等である。
【０１１１】
更に、第２図柄Ｐ２（図柄「チェリー」）も第１図柄Ｐ１と同様に、第１の塗料によって形成されてリールバックライト基板ＢＬからの光を透過しやすい透光部Ｐ２ｂと、第１の塗料とは異なる第２の塗料によって透光部Ｐ２ｂの周囲に形成された縁部Ｐ２ａと、縁部Ｐ２ａと透光部Ｐ２ｂとの間に形成された内部Ｐ２ｃと、を備えている。上記第１図柄Ｐ１の透光部Ｐ１ｂ，第２図柄Ｐ２の透光部Ｐ２ｂ，第２図柄Ｐ２の内部Ｐ２ｃは、背景部Ｈよりもリールバックライト基板ＢＬからの光が透過しやすくなっており、視認した際に輝いて見えるため、視認性が高くなっている。本実施の形態においては、これら第１及び第２図柄Ｐ１，Ｐ２のように視認性の高い透光部を有する図柄を特定図柄というものとする。なお、縁部Ｐ１ａ及び縁部Ｐ２ａは、塗料によって形成されたものに限定されず、例えば、めっきやアルミ蒸着等による金属皮膜によって形成されていてもよい。
【０１１２】
背景印刷６１は、リールバックライト基板ＢＬからの光が透過可能な塗料によって、図柄の一部（第１図柄Ｐ１の透光部Ｐ１ｂ及び第２図柄Ｐ２の透光部Ｐ２ｂに対して、リールテープＴ１の厚さ方向（リールフレームＦＲに巻き回された状態におけるリールの径方向）に重なる範囲）と透明部６３とを除く範囲に行われており、図柄の周囲に表面から視認される背景部Ｈを形成している。
【０１１３】
遮光印刷６２は、リールバックライト基板ＢＬからの光が透過しにくい塗料によって、図柄の一部（第３図柄Ｐ３、第１図柄Ｐ１の透光部Ｐ１ｂ、第２図柄Ｐ２の内部Ｐ２ｃ及び第２図柄Ｐ２の透光部Ｐ２ｂに対してリールテープＴ１の厚さ方向に重なる範囲）と透明部６３とを除く範囲に行われている。
【０１１４】
第２図柄Ｐ２（図柄「チェリー」）の内部Ｐ２ｃ及び第３図柄Ｐ３（図柄「スイカ」）は、内部抽選の結果等に応じて所定のタイミングでストップボタンを停止操作した場合に有効ライン上又は表示窓ＤＷ内に表示可能な図柄で、遊技者に有利な抽選の契機となるチャンス役の図柄組合せや、遊技者に有利な特典が付与される契機となる図柄組合せの一部を構成している。第２図柄Ｐ２の内部Ｐ２ｃ及び第３図柄Ｐ３は、リールテープＴ１の厚さ方向に重なる範囲に遮光印刷６２が行われていないことによって、遮光印刷６２が行われている部分、例えば、背景部Ｈ、第４図柄Ｐ４、第５図柄Ｐ５、第１図柄Ｐ１の縁部Ｐ１ａ、第２図柄Ｐ２の縁部Ｐ２ａ等よりも、リールバックライト基板ＢＬからの光が透過しやすくなっている。これにより、リールの回転中における第２図柄Ｐ２及び第３図柄Ｐ３の視認性の向上を図っている。なお、第２図柄の内部Ｐ２ｃ及び第３図柄Ｐ３と遮光印刷とは一部がリールテープＴ１の厚さ方向に重なっていてもよい。
【０１１５】
また、第１図柄Ｐ１の透光部Ｐ１ｂ及び第２図柄Ｐ２の透光部Ｐ２ｂは、リールテープＴ１の厚さ方向に重なる範囲に背景印刷６１及び遮光印刷６２が行われていないことによって、透明部６３よりもリールバックライト基板ＢＬからの光が透過しにくく、かつ、リールテープＴ１の厚さ方向に重なる範囲に背景印刷６１又は遮光印刷６２が行われている部分、例えば、背景部Ｈ、第３図柄Ｐ３〜第５図柄Ｐ５、第１図柄Ｐ１の縁部Ｐ１ａ、第２図柄Ｐ２の縁部Ｐ２ａ及び第２図柄Ｐ２の内部Ｐ２ｃよりもリールバックライト基板ＢＬからの光が透過しやすくなっている。これにより、リールの回転中における透光部Ｐ１ｂ及び透光部Ｐ２ｂの視認性の向上を図っている。なお、第１図柄Ｐ１は、内部抽選の結果等に応じて所定のタイミングでストップボタンを停止操作した場合に有効ライン上又は表示窓ＤＷ内に表示可能な図柄で、遊技者にとって有利な状態、例えばボーナス状態やＡＴ状態（アシスト状態）へ移行する契機となる図柄組合せの一部を構成する。
【０１１６】
また、第１図柄Ｐ１の縁部Ｐ１ａ及び第２図柄Ｐ２の縁部Ｐ２ａは、背景印刷６１及び遮光印刷６２が重なっている背景部Ｈよりも図柄の印刷が多い分、リールバックライト基板ＢＬからの光が透過しにくくなっている。これにより、リールの回転中における、縁部Ｐ１ａと透光部Ｐ１ｂ、縁部Ｐ２ａと内部Ｐ２ｃ、縁部Ｐ２ａと透光部Ｐ２ｂとの明るさの差を大きくし、透光部Ｐ１ｂ、内部Ｐ２ｃ及び透光部Ｐ２ｂの視認性の向上を図っている。
【０１１７】
このように、本実施形態におけるリールテープＴ１は、透明部６３＞（透光部Ｐ１ｂ、透光部Ｐ２ｂ）＞（内部Ｐ２ｃ、第３図柄Ｐ３）＞背景部Ｈ＞（第４図柄Ｐ４、第５図柄Ｐ５、縁部Ｐ１ａ、縁部Ｐ２ａ）の順に、リールバックライト基板ＢＬからの光が透過しやすくなっている。
【０１１８】
なお、第１図柄Ｐ１の縁部Ｐ１ａは、透光部Ｐ１ｂと隣接するように形成されているものに限定されない。また、縁部Ｐ１ａは、背景部Ｈよりも光が透過しにくいものに限定されない。複数の図柄のうちいずれかの特定図柄が、背景部よりもバックライトからの光が透過しやすい透光部と、透光部の周囲に形成されて透光部よりもバックライトからの光が透過しにくい縁部と、を有していればよく、例えば、第１図柄の縁部の内側に形成された領域の一部に背景部よりもバックライトからの光が透過しやすい透光部を有していてもよい。また、縁部は、背景部よりも光が透過しやすいものであっても透過しにくいものであってもよい。
【０１１９】
拡散印刷６４は、少なくとも第１図柄Ｐ１の透光部Ｐ１ｂ及び第２図柄Ｐ２の透光部Ｐ２ｂと重なる範囲に施されている。拡散印刷６４は、所謂チヂミ印刷と呼ばれるもので、紫外線硬化型の透明な硬化材塗料を厚く塗布し、紫外線を照射して塗料を硬化収縮させることにより、表面に細かい凹凸を形成したものである。これにより、拡散印刷６４が施された領域をリールバックライト基板ＢＬからの光が透過する際、光を不規則的に屈折及び反射させて拡散させることが可能となり、例えば、透光部Ｐ１ｂ及び透光部Ｐ２ｂを透過する光によって遊技者が眩しさを感じることの抑制を図っている。なお、拡散印刷６４は、透光部Ｐ１ｂ及び透光部Ｐ２ｂ以外の部分とリールテープＴ１の厚さ方向に重なる範囲に行われていてもよい。
【０１２０】
［リールテープの取付け構造］
次に、図１１、図１２（ａ）、（ｂ）及び図１３を参照しながら、リールテープＴ１〜リールテープＴ３の取付け構造について説明する。リールテープＴ１〜リールテープＴ３の取付け構造は同様であるため、以下、リールテープＴ１の取付け構造を例に説明し、リールテープＴ２及びリールテープＴ３の取付け構造の詳細については省略する。
【０１２１】
図１１及び図１２（ａ）に示すように、リールテープＴ１の短手方向Ｃの両端部の裏面には、第１リム部２１の端部支持面２１ａ及び第２リム部２２の端部支持面２２ａに対してリールテープＴ１を接着するための接着剤が塗布されている。この接着剤は、リールテープＴ１の短手方向Ｃにおける一端Ｔ１ｃから内方へ距離ｂの範囲、及びリールテープＴ１の短手方向Ｃにおける他端Ｔ１ｄから内方へ距離ｂの範囲に形成された接着領域６５に塗布されている。例えば、距離ｂは、４ｍｍから６ｍｍの範囲の距離に設定されており、端部支持面２１ａ，２２ａよりも１ｍｍ程度（例えば０．５ｍｍ〜１．５ｍｍ）左右方向（短手方向Ｃ）に大きく形成されていることが望ましい。
【０１２２】
リールフレームＦＲに巻き回されたリールテープＴ１は、接着領域６５に塗布された接着剤によって、内面（裏面）と端部支持面２１ａ，２２ａとが接着されて、リールフレームＦＲに保持される。なお、接着領域６５に塗布されている接着剤は、接着領域６５に均一に塗布されているものに限定されず、例えば、長手方向に所定の長さ（例えば４ｍｍ程度）で塗布された接着剤が所定の隙間（例えば１ｍｍ〜５ｍｍ程度）を存して繰り返し並べられるように塗布されていてもよい。
【０１２３】
また、上述したようにリールテープＴ１は、長手方向Ｂの長さが、端部支持面２１ａ，２２ａの円周長さよりも長くなるように形成されており、長手方向Ｂの一方側の端部Ｔ１１に対して他方側の端部Ｔ１２がリールの径方向の外側から重なるようにリールフレームＦＲに巻き回されている。リールテープＴ１は、リールフレームＦＲに巻き回されている状態で、透明部６３と、１番図柄である第２図柄Ｐ２と、がリールの径方向に重なっている。
【０１２４】
また、リールテープＴ１は、上記接着領域６５に塗布された接着剤とは別に、リールテープＴ１の他方側の端部Ｔ１２を一方側の端部Ｔ１１に対して接着するために接着部材６６（図１２（ｂ）のハッチング部）を有している。この接着部材６６は、他方端Ｔ１ｂから内方へ距離ｃの範囲内に短手方向Ｃに沿って延在し、例えば、白、乳白色、透明等でリールバックライト基板ＢＬからの光が透過しやすい素材の両面テープや、リールテープＴ１の裏面に塗布された接着剤等から構成されている。リールテープＴ１は、このリールテープＴ１の他方側の端部Ｔ１２における裏面において短手方向に延在した接着部材６６によって他方側の端部Ｔ１２と一方側の端部Ｔ１１とが密着した状態を維持することが可能となっている。なお、距離ｃは、例えば、８ｍｍから１２ｍｍの範囲の距離に設定される。
【０１２５】
また、図１３に示すように、長手方向Ｂにおいて、リールテープＴ１の他方端（背景部Ｈの他方端、図１２（ａ）参照）Ｔ１ｂから１番図柄である図柄Ｐ２までの距離ｅ１は、リールテープＴ１の他方端から上記接着部材６６の一方端までの距離ｃよりも小さくなっている。更に、本実施の形態においては、リールテープＴ１は、上記距離ｄの範囲において、背景部Ｈの他方側の端部Ｈ１２（リールテープＴ１の他方側の端部Ｔ１２）と背景部Ｈの一方側の端部Ｈ１１とが、長手方向Ｂにおいて重なっている（図１３のハッチング部分）。例えば、距離ｄは、１ｍｍから６ｍｍの範囲の距離に設定されている。これにより、リールテープＴ１の長手方向Ｂの長さや、端部支持面２１ａ，２２ａの円周長さのばらつきを吸収し、背景部Ｈの他方側の端縁と一方側の端縁との間の継ぎ目からリールバックライト基板ＢＬの光が漏れることの防止を図っている。なお、背景部Ｈの他方側の端部Ｈ１２と一方側の端部Ｈ１１とが重なる重なり領域６８は、リールの径方向内側から外側に視て、接続部２３（図１１参照）と重ならないように配置されていることが望ましい。
【０１２６】
［図柄等の配置の詳細］
次に、図１２（ａ）、（ｂ）、図１３及び図１４を参照して、リールテープＴ１の図柄の配置の詳細について説明する。背景部Ｈは、背景印刷６１と遮光印刷６２とが重なっていても、リールバックライト基板ＢＬからの光を僅かに透過させる。このため、リールテープＴ１の他方側の端部Ｔ１２において、リールの径方向に視て背景部Ｈの一方側の端部Ｈ１１が重なっている図１３に示す重なり領域６８（図１３のハッチング部分）は、重なっていない領域よりもリールバックライト基板ＢＬからの光が透過しにくく、重なっていない領域よりも暗く見える。
【０１２７】
このため、重なり領域６８と周囲に配置された図柄との位置関係によっては、光の透過しやすさの違いにより図柄の視認性が低下する虞や、重なり領域６８と重なっていない領域との明るさの違いが図柄のデザインの一部であるかのように遊技者が誤認する虞がある。本実施形態のリールテープＴ１では、図１３に示すように、１番図柄である第２図柄Ｐ２が、リールの径方向から視て背景部Ｈの一方側の端部Ｈ１１と重ならないように配置されている。これにより、リールテープＴ１の他方側の端に配置されている１番図柄の視認性の向上を図っている。
【０１２８】
なお、接着部材６６がある部分は、接着部材６６が無い部分よりもリールバックライト基板ＢＬからの光が透過しにくく、接着部材６６が無い部分よりも僅かに暗く見える。しかしながら、接着部材６６の長手方向Ｂの一方端（図１３における接着部材６６の下方端）の位置は、重なり領域６８の長手方向Ｂの一方端（背景部Ｈの一方端Ｔ１ｅ）よりも一方側（図１３の下方側）に位置している。このため、１番図柄である第２図柄Ｐ２を、リールの径方向から視て接着部材６６と重ならないように配置しようとすると、１番図柄を配置可能な領域の長手方向Ｂの長さが大きく減少する。
【０１２９】
本実施形態のリールテープＴ１では、１番図柄である第２図柄Ｐ２が、リールの径方向から視て透光部Ｐ２ｂと接着部材６６とが重ならないように配置されている。なお、接着部材６６は、リールバックライト基板ＢＬからの光を透過しやすいため、透光部Ｐ２ｂよりも光を透過しにくい縁部Ｐ２ａにおいては接着部材６６がある部分と接着部材６６が無い部分との光の透過しやすさの差が小さく、図柄の視認性に与える影響が小さい。このため、本実施形態のリールテープＴ１では、１番図柄である第２図柄Ｐ２が、リールの径方向から視て縁部Ｐ２ａの一部と接着部材６６とが重なるように配置されている。
【０１３０】
このように図柄が配置されることにより、リールテープＴ１の他方側の端に配置されている図柄（１番図柄）を大きくすることが可能になると共に、透光部Ｐ２ｂを透過する光が接着部材６６によって遮られることを防止し、図柄の視認性の向上及びデザイン性の向上を図っている。なお、１番図柄の内部は透光部よりも光を透過しにくいため、１番図柄は、リールの径方向から視て内部の一部と接着部材とが重なるように配置されていてもよい。
【０１３１】
また、リールテープＴ１がリールフレームＦＲに巻き回されている状態で、長手方向Ｂにおける重なり領域６８の長さである距離ｄと、１番図柄である第２図柄Ｐ２とリールテープＴ１の他方端Ｔ１ｂとの距離ｅ２（例えば１ｍｍから６ｍｍまでの距離）と、リールテープＴ１の他方端Ｔ１ｂと０番図柄である第５図柄Ｐ５との距離ｅ１（例えば１ｍｍから６ｍｍまでの距離）と、はそれぞれ略同じ大きさとなっている。具体的には、それぞれの距離の差が１．５ｍｍ以下となっていることが望ましい。
【０１３２】
このように図柄が配置されることにより、リールテープＴ１の他方側の端に配置されている図柄（１番図柄）を大きくすることが可能となり、１番図柄を透過する光が重なり領域６８によって遮られることを防止し、また、リールテープＴ１の他方端Ｔ１ｂの位置が、長手方向Ｂにおける１番図柄と０番図柄との略中央に位置することとなるので、図柄の視認性の向上やリールの見栄えの向上が可能となる。
【０１３３】
また、図１２（ａ）に示すように、リールテープＴ１がリールフレームＦＲに巻き回されている状態で、複数個所で長手方向Ｂの一方に隣り合うように配置された所定の組合せの図柄、例えば、第４図柄Ｐ４と第５図柄Ｐ５は、図柄間の距離が、いずれも略同じ大きさである距離ｆ（例えば４ｍｍから８ｍｍの範囲の距離）となっている。具体的には、隣り合う同じ組合せの図柄間のそれぞれの距離の差は、１．５ｍｍ以下となっていることが望ましい。このように図柄が配置されることによって、同じ組合せの図柄間の距離が共通の距離となるので、図柄の視認性の向上及び各リールの見栄えの向上を図っている。なお、リールフレームＦＲに巻き回されている状態で隣り合う図柄とは、０番図柄と１番図柄の組合せを含む。また、図柄の組合せは、第４図柄Ｐ４と第５図柄Ｐ５との組合せに限定されず、他の図柄同士であってもよいし、所定の組合せの図柄間の距離が複数のリールテープ間で略同じ大きさとなっていてもよい。
【０１３４】
リールの径方向内側から外側に視て、リールテープＴ１とリールフレームＦＲ（支持面ＦＲａ）とが重なっている部分は、重なっていない部分よりもリールバックライト基板ＢＬからの光を透過しにくく、重なっていない部分よりも暗く見える。このため、リールテープＴ１とリールフレームＦＲとが重なっている部分と図柄との位置関係によっては、光の透過しやすさの違いにより図柄の視認性が低下する虞や、重なっている部分と重なっていない部分との外観（明るさ）の違いが図柄のデザインの一部であるかのように遊技者が誤認する虞がある。
【０１３５】
本実施形態のリールテープＴ１では、図１４に示すように、第１図柄Ｐ１の透光部Ｐ１ｂは、リールの径方向内側から外側に視てリールフレームＦＲと重ならないように配置されている。このように図柄が配置されることにより、透光部Ｐ１ｂを透過する光がリールフレームＦＲによって遮られることを防止し、図柄の視認性の向上を図っている。なお、リールテープＴ１〜リールテープＴ３に配置されている図柄のうち、リールテープＴ１〜リールテープＴ３がリールフレームＦＲに巻き回されている状態で、背景部Ｈよりもリールバックライト基板ＢＬからの光を透過しやすい透光部のいずれも（例えば、第２図柄Ｐ２の透光部Ｐ２ｂ等）が、リールの径方向内側から外側に視てリールフレームＦＲと重ならないように配置されていることが望ましい。
【０１３６】
また、第１図柄Ｐ１の縁部Ｐ１ａは、第１図柄Ｐ１の透光部Ｐ１ｂよりもリールバックライト基板ＢＬからの光を透過しにくく、第２図柄Ｐ２の縁部Ｐ２ａは、第２図柄Ｐ２の透光部Ｐ２ｂよりもリールバックライト基板ＢＬからの光を透過しにくい。このため、リールの径方向内側から外側に視て、第１図柄Ｐ１の縁部Ｐ１ａ及び第２図柄Ｐ２の縁部Ｐ２ａとリールフレームＦＲ（支持面ＦＲａ）とが重なっていても、第１図柄Ｐ１の縁部Ｐ１ａ及び第２図柄Ｐ２の縁部Ｐ２ａの外観への影響が小さい。本実施形態のリールテープＴ１では、第１図柄Ｐ１の縁部Ｐ１ａは、リールの径方向内側から外側に視て、第１リム部２１（端部支持面２１ａ）、第２リム部２２（端部支持面２２ａ）及び接続部２３（接続支持面２３ａ）とそれぞれ一部が重なるように配置されている。このように図柄が配置されることにより、第１図柄Ｐ１を長手方向Ｂ及び短手方向Ｃに大きくすることが可能となり、図柄の視認性の向上及びデザイン性の向上を図っている。
【０１３７】
なお、第２図柄Ｐ２の縁部Ｐ２ａや内部Ｐ２ｃが、リールの径方向内側から外側に視て、リールフレームＦＲと一部が重なるように配置されていてもよいし、背景部よりもリールバックライト基板からの光を透過しやすい透光部を有する他の図柄が、透光部よりも光を透過しにくい部分において接続部、第１円環部、第２円環部と重なるように配置されていてもよい。
【０１３８】
［識別表示］
次に、図１４及び図１５を参照して、透明部６３に設けられたリールテープ識別表示７０について説明する。図１４に示すように、透明部６３は、リールテープＴ１の一方端Ｔ１ａから長手方向Ｂに沿った距離ａの範囲で、リールテープＴ１の一方端Ｔ１ａと、背景部Ｈの一方端Ｔ１ｅと、の間に形成されており、透明部６３には、第１リールＲ１〜第３リールＲ３のいずれのリールテープであるかを識別するためのリールテープ識別表示７０が印刷されている。具体的には、リールテープ識別表示７０は、リールテープの印刷内容に固有の記号や文字列等からなり、リールテープを識別するためのものである。例えば、リールテープ識別表示７０は、改訂識別部７１、機種識別部７２及びリール識別部７３を有している。リールテープ識別表示７０は、リールの径方向に視て第１リム部２１の端部支持面２１ａ及び接着領域６５と重なる領域内において、透明部６３に配置されている。
【０１３９】
改訂識別部７１は、例えば、リールテープＴ１〜リールテープＴ３の印刷内容等の改訂の進度に応じた記号等、例えば、丸型、星型、多角形等の記号、数字、文字等からなり、リールテープＴ１〜リールテープＴ３の改訂の進度に係る情報を識別可能としている。機種識別部７２は、例えば、複数の文字を含むリールテープＴ１〜リールテープＴ３が使用される機種固有の文字列、例えば機種名の略称等を示す文字列からなり、リールテープＴ１〜リールテープＴ３が使用される機種に係る情報を識別可能としている。
【０１４０】
リール識別部７３は、例えば、取り付けられる第１リールＲ１〜第３リールＲ３に応じた値「１」〜値「３」のいずれかの数値からなり、第１リールＲ１〜第３リールＲ３のいずれのリールテープであるかを識別可能としている。これにより、リールテープＴ１〜リールテープＴ３がリールフレームＦＲに巻き回される前の単品の状態では、リールテープの改訂情報、機種情報及び第１リールＲ１〜第３リールＲ３のいずれのリールテープであるかを作業者が識別可能となっている。また、リールテープＴ１〜リールテープＴ３がリールフレームＦＲに巻き回されている状態では、リールテープ識別表示７０がリールバックライト基板ＢＬからの光が透過しにくい接着領域６５や支持面ＦＲａと重なる領域内に配置されていることにより、リールテープ識別表示７０を目立ちにくくしている。
【０１４１】
なお、識別表示は、少なくとも一部が端部支持面や接着領域と重なっていればよく、例えば、一部が端部支持面と重ならないように配置されていてもよいし、第２リム部２２の端部支持面と一部が重なるように配置されていてもよいし、リールテープの短手方向の両側に配置されていてもよい。また、識別表示は、改訂識別部、機種識別部及びリール識別部の少なくともいずれか１つを有していればよく、記号のみでも数字のみでもよいし、日本語の文字やラテン文字でもよいし、これらの組合せであってもよい。
【０１４２】
図１５に示すように、リールテープ識別表示７０は、文字や記号等の内部に複数の隙間７６が形成されるように複数のドット部７５が規則的に配置されたドット印刷によって構成されており、複数の隙間７６を介してリールバックライト基板ＢＬからの光を透過可能となっている。また、リールテープ識別表示７０は、背景印刷６１（図１４参照）に使用されている塗料よりもリールバックライト基板ＢＬからの光を透過しやすい塗料で、かつ複数の図柄のいずれかに使用されている塗料によって基材６０の裏面に印刷されている。具体的には、リールテープ識別表示７０は、黄色の塗料によって印刷されていることが望ましい。
【０１４３】
これにより、リールの径方向に視てリールテープＴ１〜リールテープＴ３とリールテープ識別表示７０とが重なっている部分と重なっていない部分との外観（明るさ）の差を小さくし、リールフレームＦＲに巻き回されている状態でリールテープ識別表示７０を目立ちにくくしている。なお、リールテープ識別表示７０の色は、白や透光しやすい薄い色でもよいし、背景印刷の塗料と同じ色や、リールフレームが着色された合成樹脂によって形成されている場合、リールフレームの色と同系色としてもよい。具体的には、背景印刷が白色である場合、識別表示は白色の塗料によって印刷してもよいし、リールフレームが黒色である場合、識別表示は黒色の塗料によって印刷してもよい。このようにすることで、識別表示を目立ちにくくすることも可能である。
【０１４４】
また、識別表示は、各リールテープ毎に色分けして、色によって第１リールＲ１〜第３リールＲ３のいずれのリールテープであるかを識別可能としてもよい。また、塗料が付着する部分であるドット部７５は、円形であるものに限定されず、例えば、略楕円状、略正方形状、略長方形状、略六角形状など他の形状であってもよい。また、隣接するドット部同士は、接触するように配置されていてもよいし、離間するように配置されていてもよい。
【０１４５】
なお、本実施形態において、リールテープＴ１〜Ｔ３は、背景部Ｈにおいて背景印刷６１とリールバックライト基板ＢＬからの光を遮蔽するための遮光印刷６２とが重ねて印刷されているが、これに限定されない。背景部は、透光部よりもバックライトからの光が透過しにくくなっていればよく、例えば、背景印刷のみで形成されていてもよい。
【０１４６】
また、本実施形態において、リールテープＴ１には、最も他端側に図柄「チェリー」である第２図柄Ｐ２が配置されているが、これに限定されない。上述した図柄の形状や配置は一例であり、他の多様な図柄の形状及び配置が考えられる。例えば、最も他端側に配置された図柄は、図柄「７」である第１図柄であってもよいし、背景部よりも光が透過しやすい部分を有していなくてもよいし、図柄印刷が行われている領域の全体に背景印刷及び遮光印刷のいずれか又は両方が重なるように印刷されていてもよく、他の多様な形状や図柄の配置が考えられる。
【０１４７】
また、本実施形態において、背景部Ｈの長手方向Ｂの一方端Ｔ１ｅ、即ち、背景部Ｈと透明部６３との境界は、直線的に形成されているが、これに限定されない。背景部Ｈの長手方向Ｂの一方端は、リールフレームに巻き回された状態で、リールテープの他端よりも一方端側に形成されていればよく、例えば、背景部の長手方向の一方端は、一部が長手方向の一方側又は他方側にオフセットされていてもよいし、曲線で形成されていてもよい。
【０１４８】
また、本実施形態において、各図柄の印刷（特に縁部Ｐ１ａ，Ｐ２ａを除く部分）や背景印刷６１は、リールバックライト基板ＢＬからの光を透過する塗料によって行われているが、これに限定されない。各図柄や背景印刷が行われている領域をバックライトからの光が透過可能であればよく、例えば、各図柄の印刷や背景印刷６１が光を透過しにくい塗料の微小なドット（網点）の集合によって行われている印刷であってもよい。
【０１４９】
［下装飾シートに係る前面下扉の概略構成］
図１６に示すように、前面下扉ＤＤの操作部ＣＰとメダル受け皿ＭＰとの間には、スロットマシン１の外装を構成する透光パネルとしての下パネル８２と、この下パネル８２の裏面側に配置された下装飾シート８３と、下装飾シート８３の裏面側に配置された拡散シート８６と、が設けられている。下パネル８２は、透光性が高い（本実施形態では透明な）合成樹脂によって、表面及び裏面が滑面状で略矩形の板状部材に形成されている。また、下パネル８２は、下装飾シート８３に対向配置されて、下装飾シート８３の前面側を覆って保護している。
【０１５０】
下装飾シート８３は、透光性が高い（本実施形態では透明な）合成樹脂によって略矩形のシート状に形成された基材８３ａの裏面に、スロットマシン１の製品名や関連するキャラクタ等の画像、スロットマシン１の外面を装飾する画像等の画像８５（図１７（ａ）参照）が有色塗料によって印刷され、装飾性を有する装飾シートとなっている。なお、画像８５は、下装飾シート８３の裏面全体に印刷されていてもよいし、下装飾シート８３の一部に印刷されていてもよい。
【０１５１】
拡散シート８６は、下装飾シート８３と略同サイズとなるように、透光性が高い合成樹脂によって略矩形のシート状に形成されている。拡散シート８６は、表面及び裏面の少なくとも一方の面が粗面状に形成された拡散面を有しており、透過する光が拡散しやすくなっている。例えば、拡散シート８６の拡散面は、絞加工、凹凸の熱転写、上述したチヂミ印刷等によって微小な凹凸が形成されて粗面状となっている。
【０１５２】
下装飾シート８３及び拡散シート８６は、拡散シート８６の裏面側に配置されたホルダ８８と下パネル８２との間に挟み込んだ状態で保持されており、下パネル８２を介して前方から遊技者が下装飾シート８３を視認可能となっている。ホルダ８８は、透光性が高い（本実施形態では透明な）合成樹脂によって、表面が滑面状となるように板状に形成されている。なお、ホルダは、製品として透明であるものに限らず、例えば、表面又は裏面に絞加工等が施されて透過する光が拡散し、製品としては不透明に見えるように形成されていてもよい。
【０１５３】
ホルダ８８の裏面側には、複数のＬＥＤ９１ａを有する下バックライト基板９１と、ＬＥＤ９１ａからの光を反射するリフレクタ８９と、が設けられている。本実施形態においては、リフレクタ８９の裏面側に下バックライト基板９１が配置されており、リフレクタ８９に形成された開口８９ａ（図１７（ａ）参照）を介してＬＥＤ９１ａの光が前方に照射されるように構成されている。なお、前面下扉ＤＤには、ＬＥＤを有するバックライト基板の代わりに、冷陰極管等の蛍光灯やランプ等の発光源が設けられていてもよい。リフレクタ８９は、遮光性を有すると共に光を反射しやすい材料、例えば白色の合成樹脂で形成されている。
【０１５４】
下パネル８２の表面側（前方側）には、下パネル８２及び下装飾シート８３の周縁部を覆うと共に、覆っていない部分の下パネル８２及び下装飾シート８３を視認可能となるように露出させる開口８１ａを有する遮光カバーとしての下パネル枠８１が設けられている。下パネル枠８１は、遮光性を有する材料によって形成されている。例えば、下パネル枠８１は、遮光性を有するように着色された合成樹脂によって形成されている。また、例えば、下パネル枠８１は、合成樹脂によって形成されて、遮光性を有するように外面に塗装やめっき加工、金属蒸着等が施されている。
【０１５５】
このように構成されて、前面下扉ＤＤは、ホルダ８８及び拡散シート８６を介して下バックライト基板９１のＬＥＤ９１ａの光によって照明された装飾シート８３を、下パネル枠８１を介して下パネル枠８１の開口８１ａから視認可能となっている。
【０１５６】
［下装飾シートに係る前面下扉の詳細］
次に、本実施形態における下装飾シート８３に係る前面下扉ＤＤの詳細について、図１７（ａ）及び図１８（ａ）を参照して説明する。一般に、遊技機が有する下装飾シート８３等の装飾シートは、印刷された画像の見栄えを良好とするため、表面が滑面状となっている透明な基材の裏面に画像の印刷を施すと共に、表面及び裏面が滑面状となっている下パネル８２等の透光パネルによってこの装飾シートを保護している。
【０１５７】
透光パネルや装飾シートは平板状であったとしても、微視的に見た場合には、僅かに湾曲している。そして、このような透光パネルと装飾シートとが近接して配置された結果、透光パネルの裏面と装飾シートの表面とが非常に近接乃至部分的に接触すると、装飾シートと透光パネルとの間に、光の干渉によってニュートンリングと呼ばれる同心円状の干渉縞が発生する場合があり、この干渉縞によって装飾シートの見栄えが良好でなくなる場合がある。
【０１５８】
そこで、本実施形態では、図１７（ａ）及び図１８（ａ）に示すように、下パネル８２の裏面８２ａに対向する下装飾シート８３の基材８３ａの表面に、干渉縞の発生を抑制する粗面印刷８４が施されている。粗面印刷８４は、下装飾シート８３の表面を粗面状とするものであって、例えば、微小な粒子を添加した透光性を有する塗料による印刷であってもよいし、上述したチヂミ印刷等であってもよい。
【０１５９】
本実施の形態において、上記粗面印刷８４は、基材８３ａの表面の一部に施されており、下装飾シート８３には、粗面印刷８４が施されない滑面状の滑面エリア（第１エリア）８３ｃと、粗面印刷８４が施された粗面状の粗面エリア（第２エリア）８３ｄと、が表面（表側の面）に形成されている。
【０１６０】
具体的には、上記粗面印刷８４は、基材８３ａの外周の縁部を除く表面の略全面に印刷されており、下装飾シート８３の表面は、図１８（ａ）に示すハッチング部分が粗面エリア８３ｄとなり、それ以外の縁部が滑面エリア８３ｃとなっている。この滑面エリア８３ｃは、基材８３ａの外周の縁８３ｂに沿って、粗面エリア８３ｄを囲うように粗面エリア８３ｄの周囲に形成されおり、基材８３ａの縁８３ｂから内側に所定の距離ｌ１の領域に形成されている。粗面エリア８３ｄは、この滑面エリア８３ｃを除く領域に形成されている。なお、滑面エリア８３ｃの幅は基材８３ａの縁８３ｂに沿って一定であるものに限らず、部位によって幅が異なるものであってもよい。
【０１６１】
このように、本実施形態では、下装飾シート８３の表面の大部分が粗面エリア８３ｄとなっており、この粗面エリア８３ｄにおいて、滑面状の下パネル８２の裏面８２ａが当接したとしても、粗面エリア８３ｄの表面の凹凸構造により、干渉縞の発生が抑制される。特に本実施形態では、下装飾シート８３の表面の大部分が粗面エリア８３ｄとなっているため、例え、下パネル８２の湾曲が大きかったり、遊技機の前面側から下パネル８２が押圧されたり、したとしても、粗面エリア８３ｄと重なった下装飾シート８３の画像領域に干渉縞が発生することを防止することができる。
【０１６２】
また、上記粗面エリア８３ｄの粗面印刷８４は、所定の厚みを有しており、滑面エリア８３ｃから見ると、粗面エリア８３ｄは基材８３ａの表面から突出した凸部となっている。このため、粗面エリア８３ｄにおける粗面印刷８４により、上記滑面エリア８３ｃにおいても下パネル８２との間には一定以上の隙間が形成されることとなり、干渉縞の発生を抑制することができる。また、下装飾シート８３は、基材８３ａの縁８３ｂから内側に所定の距離ｌ１までの領域に粗面印刷８４が施されない滑面エリア８３ｃを設けることにより、粗面印刷８４を行う粗面エリア８３ｄが基材８３ａに対してずれた場合であっても、粗面印刷８４の塗料が基材８３ａからはみ出すことを抑制している。
【０１６３】
なお、上記下装飾シート８３と下パネル８２との間の関係と同様に、拡散シート８６とホルダ８８とが滑面状の面同士で当接する場合、拡散シート８６とホルダ８８との間に干渉縞が発生し、この干渉縞が装飾シート８３及び下パネル８２を介して遊技者から視認可能となる場合がある。このため、本実施形態の拡散シート８６は、ホルダ８８の表面８８ａに対向する拡散シート８６の裏面に、拡散シート８６の裏面を粗面状とすることによって干渉縞の発生を抑制する粗面印刷８７が施されている（図１７（ａ）参照）。
【０１６４】
［本実施形態のまとめ］
本実施形態に係る遊技機（１）は、透光性を有する透光パネル（８２）と、
装飾性を有する装飾シート（８３）と、を備え、
前記装飾シート（８３）は、前記透光パネル（８２）を介して視認可能であり、
前記装飾シート（８３）は、滑面状の第１エリア（８３ｃ）と粗面状の第２エリア（８３ｄ）とを表面に有しており、
前記第２エリア（８３ｄ）によって、前記装飾シート（８３）と前記透光パネル（８２）との間の干渉縞を抑制する、ことを特徴とする。
【０１６５】
これにより、下装飾シート８３と下パネル８２との間の干渉縞の発生を抑制し、下装飾シート８３の見栄えを良好とすることが可能となる。
【０１６６】
なお、本実施形態においては、下装飾シート８３に粗面印刷８４を施すことによって、下装飾シート８３と下パネル８２との間の干渉縞の発生を抑制しているが、これに限定されない。装飾性を有する装飾シートに粗面状のエリアを設けることによって、装飾シートと透光性を有する透光パネルとの間の干渉縞の発生を抑制するものであればよく、例えば、操作部よりも上方に配置された上装飾シートに粗面状のエリアを設けることによって、上装飾シートと、透光性を有して上装飾シートの前面側を覆う上パネルと、の間の干渉縞の発生を抑制するものであってもよい。
【０１６７】
また、例えば、装飾シートは、滑面エリア及び粗面エリアが遊技者から視認可能な面である表面に形成されていればよく、操作部の上方を向いた操作部上面に配置されたものであってもよいし、操作部の前方を向いた操作部前面に配置されたものであってもよいし、左右いずれかの方向を向いた面に配置されていてもよい。具体的には、装飾シートは、マックスベットボタンや投入口が設けられる扉ベースや操作部のベースの一部（例えば、上面）を覆うように配置され、この装飾シートを覆う透光パネルを介して視認可能に構成されていてもよいし、ストップボタンやスタートレバーが設けられる扉ベースや操作部のベースの一部（例えば、前面）を覆うように配置され、この装飾シートを覆う透光パネルを介して視認可能に構成されていてもよい。また、操作部以外に配置された演出ボタンや装飾部等、前面扉のその他の部分に配置されたものであってもよい。
【０１６８】
更に、上述した下装飾シート８３では、キャラクタ画像や、模様等が印刷している例を説明したが、装飾性シートには、例えば、文字や色だけの画像が印刷されているものであっても良く、当然にこれらが組み合わされて装飾性シートに印刷される画像が形成されてもよい。即ち、本実施の形態において、「装飾性を有する」とは、視覚を通じて美感を起こさせうる性質、又は視覚を通じて何らかの機能を達成しうる性質の少なくとも一方を有するという意味である。なお、視覚を通じて何らかの機能を達成する性質とは、例えば、遊技者や作業者に対し、遊技機の状態、遊技方法、遊技機の仕様、遊技機の型式や製造業者名、警告メッセージ等、何らかの情報を文字や図形等によって視覚的に伝達する機能を達成しうる性質をいう。
【０１６９】
また、本実施の形態において、下装飾シート８３の表面には、基材８３ａの縁部に沿って形成された滑面状の滑面エリア８３ｃの内部が全て粗面状の粗面エリア８３ｄとなっているが、これに限定されない。粗面エリアは、基材の表面と直交する方向から視て下パネルと重なる位置における基材８３ａの表面の少なくとも一部に施されていればよく、例えば、上記粗面エリアの内部に更に滑面エリアが形成されていてもよい。
【０１７０】
また、本実施形態において、粗面状の粗面エリア８３ｄは、粗面印刷８４によって形成されているが、これに限定されない。粗面エリアは、装飾シートの表面が粗面状に形成されていればよく、例えば、凸状のパターンを熱転写することによって粗面状に形成したものであってもよいし、滑面エリアは、凸状のパターンが形成されたシートの一部を加熱しながら加圧する等により滑面状に形成したものであってもよい。
【０１７１】
＜第２の実施形態＞
次に、図１７（ｂ）及び図１８（ｂ）を参照して、上記第１の実施形態を一部変更した第２の実施形態について説明する。なお、第２の実施形態は、第１の実施形態に対して下装飾シートの滑面エリア及び粗面エリアが異なり、第１の実施形態と同様の部分については、図示を省略、又は図に同一符号を付して説明を省略する。
【０１７２】
一般に、裏面に印刷された画像と重なる位置において装飾シートの表面が粗面状となっている場合、表面の粗さの程度や粗面印刷に用いられる塗料の種類等によっては、装飾シートの裏面に印刷されている画像の視認性を低下させる場合がある。例えば、裏面に印刷された画像と重なる位置において装飾シートの表面が粗面状となっていることにより、装飾シートの画像が曇って見える場合や輪郭がぼやけて鮮明に見えなくなる虞がある。
【０１７３】
このため、図１７（ｂ）及び図１８（ｂ）に示すように、本実施形態に係る装飾シートとしての下装飾シート２８３は、その表面において、粗面印刷８４が施された粗面状の粗面エリア８３ｄが、粗面印刷８４が施されない滑面状の滑面エリア８３ｃよりも狭い範囲となるように形成されている。具体的には、本実施の形態において、下装飾シート２８３の表面には、基材８３ａの縁８３ｂから内側に所定の距離ｌ１の領域に滑面エリア８３ｃが形成され、この滑面エリア８３ｃの内側において、基材８３ａの縁８３ｂと略平行となるように縁８３ｂに沿った幅ｌ２の領域に粗面エリア８３ｄが形成されている。言い換えると、下装飾シート２８３の表面には、基材８３ａの中心部から離間した基材８３ａの縁部に形成された粗面エリア８３ｄの内側と外側（周囲）とに滑面エリア８３ｃが形成されている。
【０１７４】
このように構成されて、本実施形態の下装飾シート２８３は、滑面エリア８３ｃにおいて、粗面エリア８３ｄの粗面印刷８４の厚みによって下装飾シート８３と下パネル８２との間に隙間Ｓが形成されることにより、下装飾シート８３と下パネル８２との間の干渉縞の発生を抑制している。また、本実施形態の下装飾シート２８３の表面には、基材の縁部に形成された粗面エリア８３ｄよりも広い範囲に滑面エリア８３ｃが形成されているので、下装飾シート２８３の広い範囲、特に下装飾シート２８３の中央部において、粗面印刷８４によって画像８５の視認性が低下することを抑制している。
【０１７５】
また、図１７（ｂ）に示すように、本実施形態において、下装飾シート２８３の粗面エリア８３ｄは、基材８３ａの表面と直交する方向に視て、下パネル枠８１と一部が重なる位置に形成されて、少なくともその一部が下パネル枠８１の裏側に隠れるように配設されている。これにより、例えば、下装飾シート２８３に印刷された画像８５とは関係の無い粗面エリア８３ｄの少なくとも一部を遊技者から視認困難として隠すことができ、上述した下装飾シート２８３の画像８５と重なることによる画像の視認性の低下を防止することに加えて、粗面エリア８３ｄが遊技者に視認されることによる装飾シートの美観の低下を防ぐことができる。
【０１７６】
また、基材８３ａの表面と直交する方向に視て、下装飾シート２８３の裏面側に配置されている全ての発光源、本実施の形態においては下バックライト基板９１の全てのＬＥＤ９１ａが、画像８５（図１７（ａ）参照）と重なり、かつ粗面エリア８３ｄと重ならないように配置されている。言い換えると、基材８３ａの表面と直交する方向に視て、下装飾シート２８３の裏面側に配置されている全ての発光源が、画像８５及び滑面エリア８３ｃと重なるように配置されている。これにより、下バックライト基板９１からの光が粗面印刷８４によって遮られることを抑制し、下装飾シート８３をより明るく見せると共に粗面エリア８３ｄを目立たなくすることで、下装飾シート８３の見栄えを良好とすることが可能となる。なお、装飾シートの裏面側に配置されている全ての発光源が粗面エリアと重ならないように配置されているものに限らず、複数の発光源のうち少なくとも一部の発光源が粗面エリアと重ならないように配置されていればよい。
【０１７７】
［本実施形態のまとめ］
本実施形態に係る遊技機（１）は、前記第２エリア（８３ｄ）は、前記第１エリア（８３ｃ）よりも狭い範囲となるように形成されており、
前記第２エリア（８３ｄ）は、少なくとも一部が前記装飾シート（８３，２８３）の縁部に形成されている、ことを特徴とする。
【０１７８】
これにより、粗面印刷８４による下装飾シート２８３の画像８５の視認性の低下を抑制し、下装飾シート２８３の見栄えを良好とすることが可能となる。
【０１７９】
なお、粗面エリアは、少なくとも一部が装飾シートの縁部に形成されていればよく、例えば、粗面エリアは、一部が装飾シートの中央部等、縁部以外の部分に形成されていてもよいし、装飾シートの縁部における一部の領域のみに形成されていてもよい。また、粗面エリアは、連続的に形成されているものに限らず、複数の領域に分断されるように形成されていてもよい。例えば、粗面エリアは、一部が装飾シートの縁部に形成され、他の部分が装飾シートの縁部以外の部分に形成されて、粗面エリアにおける縁部に形成された部分と縁部以外に形成された部分とは不連続となるように形成されていてもよい。
【０１８０】
また、本実施形態に係る遊技機（１）は、遮光性を有する遮光カバー（８１）を備え、
前記遮光カバー（８１）は、前記装飾シート（８３，２８３）の一部を覆うものであり、
前記第２エリア（８３ｄ）は、少なくとも一部が前記遮光カバー（８１）により視認困難となっている、ことを特徴とする。
【０１８１】
これにより、粗面印刷８４による下装飾シート２８３の画像８５の視認性の低下を抑制し、下装飾シート２８３の見栄えを良好とすることが可能となる。
【０１８２】
なお、粗面エリアは、少なくとも一部が下パネル枠等の遮光カバーによって視認困難となっていればよく、一部が遊技者から視認容易となっていてもよい。例えば、粗面エリアは、一部が縁部に形成され、他の一部が縁部以外に形成され、縁部に形成された部分の更に一部が遮光カバーによって視認困難で、かつ縁部に形成された部分の一部及び縁部以外に形成された部分が視認容易となっていてもよい。また、例えば、粗面エリアは、一部が縁部に形成され、他の一部が縁部以外に形成され、縁部に形成された部分の一部及び縁部以外に形成された部分の一部が遮光カバーによって視認困難で、かつ縁部に形成された部分の一部及び縁部以外に形成された部分の一部が視認容易となっていてもよい。また、例えば、粗面エリアは、装飾シートの縁部以外の部分にのみ形成されて、その一部が遮光カバーによって視認困難かつ他の一部が視認容易となっていてもよい。
【０１８３】
また、例えば、粗面エリアは、全部が遮光カバーによって視認困難となっていてもよい。また、粗面エリアの少なくとも一部を視認困難とする遮光カバーは、透光パネルの周縁部を覆うものに限らず、例えば、透光パネルの上部や左右端部のみと重なるように配置されて、粗面エリアの一部を視認困難とするものであってもよいし、透光パネルの表面又は裏面の一部に形成された透光パネルの塗装部やめっき部等であってもよい。
【０１８４】
また、本実施形態において、下パネル枠８１は、下パネル８２よりも前方側、即ち下装飾シート８３の表面側に配置されて、下パネル８２及び下装飾シート８３の周縁部を覆うことによって、下装飾シート８３の一部を視認困難としているが、これに限定されない。例えば、遮光カバーは、透光パネルと装飾シートとの間に配置されて、装飾シートの一部を覆って粗面エリアの一部を視認困難とするものであってもよい。
【０１８５】
＜第３の実施形態＞
次に、図１８（ｃ）を参照して、上記第２の実施形態を一部変更した第３の実施形態について説明する。なお、第３の実施形態は、第２の実施形態に対して下装飾シートの外形、滑面エリア及び粗面エリアの形状が異なり、第２の実施形態と同様の部分については、図示を省略、又は図に同一符号を付して説明を省略する。
【０１８６】
第１の実施形態及び第２の実施形態では、略矩形に形成された下装飾シート２８３について説明したが、装飾シートの形状はこれに限らず、矩形以外の多様な形状が考えられる。図１８（ｃ）に示すように、本実施形態に係る装飾シートとしての下装飾シート３８３は、基材３８３ａが矩形ではない形状、例えば、曲線や直線の組み合わせからなる輪郭を有する形状に形成されている。
【０１８７】
また、下装飾シート３８３は、基材３８３ａの縁３８３ｂから内側に所定の距離ｌ１の領域に基材３８３ａの縁３８３ｂ（輪郭）に沿って滑面エリア８３ｃが形成され、この滑面エリア８３ｃの内側に縁３８３ｂに沿って粗面エリア８３ｄが形成されている。このように、装飾シートは、遊技機のデザインや配置される部位によって多様な形状を取りうるものであり、開口を有していてもよいし、表面（裏面）が曲面となっていてもよいし、折り曲げ加工等によって一部が屈曲していてもよい。
【０１８８】
＜第４の実施形態＞
次に、図１８（ｄ）を参照して、上記第２の実施形態を一部変更した第４の実施形態について説明する。なお、第４の実施形態は、第２の実施形態に対して下装飾シートの画像、滑面エリア及び粗面エリアが異なり、第２の実施形態と同様の部分については、図示を省略、又は図に同一符号を付して説明を省略する。
【０１８９】
第２の実施形態では、下装飾シートの表面は、基材の縁に沿って、下装飾シートの中央部を含む滑面エリアを囲うように連続的に形成され、下パネル枠８１（図１７（ｂ）参照）によって一部が視認困難な粗面エリア８３ｄを有しているが、上述したように、粗面エリアは連続的に形成されているものに限らない。例えば、図１８（ｄ）に示す本実施形態のように、下装飾シート４８３の粗面エリア８３ｄは、互いに離間する複数の領域に不連続的に形成されていてもよい。
【０１９０】
本実施形態における粗面エリア８３ｄは、基材８３ａの縁部に互いに離間する複数の領域に不連続的に形成され、下パネル枠８１によって一部が視認困難となっている。例えば、粗面エリア８３ｄは、矩形の基材８３ａの縁部の一部、具体的には、基材８３ａの縁８３ｂから内側に所定の距離ｌ１の領域よりも内側の領域の一部であって、縁部における各角の近傍のみに形成されている。このように粗面エリア８３ｄが不連続的に形成されていることにより、粗面エリア８３ｄが滑面エリア８３ｃを囲うように基材８３ａの縁部に連続的に形成されている場合と比較して、粗面エリア８３ｄをより狭くすることが可能となり、粗面エリア８３ｄの一部をより視認困難として、粗面印刷８４による下装飾シート８３の画像８５の視認性の低下を抑制することが可能となる。
【０１９１】
また、本実施形態に係る装飾シートとしての下装飾シート４８３は、基材８３ａの裏面に印刷された画像８５が、メイン画像８５ａと、メイン画像８５ａの背景となる背景部８５ｂと、を有している。メイン画像８５ａは、例えば、キャラクタ、製品名、文字列等の画像であり、輪郭に沿って形成されている縁取部８５ｃを有している。背景部８５ｂは、例えば、単色の画像、模様が形成された画像、風景画像等であり、メイン画像８５ａに対して裏面側から重ねるように印刷されている。本実施形態の下装飾シート４８３の粗面エリア８３ｄは、メイン画像８５ａと重ならずかつ少なくとも背景部８５ｂの一部と重なるように形成されている。
【０１９２】
これにより、本実施形態の下装飾シート４８３は、粗面印刷８４によって相対的にデザイン上の重要度が高いメイン画像８５ａの視認性が低下することを抑制し、下装飾シート４８３の見栄えを良好とすることが可能となる。なお、粗面エリア８３ｄは、メイン画像８５ａと重ならずかつ少なくとも背景部８５ｂの一部と重なる位置に、第２の実施形態のように連続的に形成されていてもよい。また、当然に粗面エリア８３ｄの複数の領域のそれぞれは、下パネル枠８１によってその全体が隠されるように配置されてもよい。即ち、粗面エリア８３ｄは、その少なくとも一部が下パネル枠８１によって隠されていればよい。
【０１９３】
＜第５の実施形態＞
次に、図１８（ｅ）を参照して、上記第２の実施形態を一部変更した第５の実施形態について説明する。なお、第５の実施形態は、第２の実施形態に対して下装飾シートの滑面エリア及び粗面エリアが異なるのみであり、第２の実施形態と同様の部分については、図示を省略、又は図に同一符号を付して説明を省略する。
【０１９４】
第２の実施形態では、下装飾シート２８３の粗面エリア８３ｄは、基材８３ａの縁部に形成されて、下パネル枠８１（図１７（ｂ）参照）によって一部が視認困難な粗面エリア８３ｄを有しているが、これに限らず、粗面エリアは、装飾性の高い形状として形成し、視認可能な位置に配置することで、装飾シートの装飾性を高めることが可能である。
【０１９５】
図１８（ｅ）に示すように、本実施形態に係る装飾シートとしての下装飾シート５８３は、基材８３ａの縁部、かつ基材８３ａの表面と直交する方向に視て下パネル枠８１と重ならない位置に粗面エリア８３ｄが形成されている。このように配置された粗面エリア８３ｄを装飾性の高い形状とすることにより、粗面エリア８３ｄよりも内側の画像８５（図１７（ｂ）参照）の視認性を低下させることなく、下装飾シート８３の装飾性を高めることが可能となる。
【０１９６】
なお、基材８３ａの表面と直交する方向に視て下パネル枠８１と重ならない位置に配置された粗面エリア８３ｄは、図１８（ｅ）に示すように、互いに離間する複数の領域に分散されて不連続的に形成されていてもよいし、連続的に形成されていてもよい。また、本実施形態のように下パネル枠８１と重ならない位置に粗面エリア８３ｄを配置する場合、粗面エリア８３ｄは、第４実施形態におけるメイン画像８５ａ（図１８（ｄ）参照）と重ならずかつ背景部８５ｂ（図１８（ｄ）参照）の一部と重なる位置に形成されていることが好ましいが、メイン画像８５ａと一部が重なる位置に形成されて、粗面エリア８３ｄによってメイン画像８５ａの装飾性を高めるように構成されていてもよい。また、装飾性の高い形状として形成された粗面エリアの一部が、下パネル枠８１によって視認困難となっていてもよい。
【０１９７】
＜第６の実施形態＞
次に、図１８（ｆ）を参照して、上記第５の実施形態を一部変更した第６の実施形態について説明する。なお、第６の実施形態は、第５の実施形態に対して下装飾シートの滑面エリア及び粗面エリアが異なり、第５の実施形態と同様の部分については、図示を省略、又は図に同一符号を付して説明を省略する。
【０１９８】
一般に、製造誤差や遊技者から加えられる外力等により、装飾シートや透光パネルに歪みが発生する場合がある。第２乃至第５の実施形態のように、下装飾シートの粗面エリア８３ｄが基材８３ａの縁部のみに配置されている場合、下装飾シートの中央部を含む広い範囲において滑面エリア８３ｃが形成されることとなる。このような場合、例えば、下装飾シートの中央部等、粗面エリア８３ｄから離間した部分において、装飾シートや透光パネルの歪みにより装飾シートと透光パネルとの間に干渉縞が発生する場合がある。
【０１９９】
このため、図１８（ｆ）に示すように、本実施形態に係る装飾シートとしての下装飾シート６８３の粗面エリア８３ｄは、基材８３ａの縁部以外の部分、即ち基材８３ａの縁８３ｂから離間した部分、及び基材８３ａの縁部を含む複数の領域に分散されて不連続的に形成されている。このように粗面エリア８３ｄが形成されることにより、本実施形態の下装飾シート６８３は、下装飾シート６８３の広い範囲において滑面エリア８３ｃが形成されることを抑制して、下装飾シート６８３と下パネル８２との間の干渉縞の発生を抑制している。加えて、本実施の形態では、遊技者から視認される領域内（下装飾シート６８３の場合は、下パネル枠８１内）に粗面エリア８３ｄが複数の領域に分散して形成されているため、粗面エリア８３ｄが視認されても装飾シートの美観を損なわないように、粗面エリア８３ｄのそれぞれが下装飾シート６８３の裏面に印刷された画像に対応してデザインされた模様（本実施の形態ではハート）の形をしている。
【０２００】
なお、本実施形態のように、基材８３ａの縁部以外の縁８３ｂから離間した部分に粗面エリア８３ｄが形成される場合、基材８３ａの縁部に粗面エリアが形成されるものに限らず、縁部以外の部分のみに粗面エリアが形成されていてもよい。また、基材８３ａの縁部以外の縁８３ｂから離間した部分に粗面エリア８３ｄが形成される場合、粗面エリア８３ｄは、第４実施形態におけるメイン画像８５ａ（図１８（ｄ）参照）と重ならずかつ背景部８５ｂ（図１８（ｄ）参照）の一部と重なるように形成されていることが好ましいが、メイン画像８５ａと一部が重なるように形成されて、粗面エリア８３ｄによってメイン画像８５ａの装飾性を高めるように構成されていてもよい。また、粗面エリアの一部が基材の縁部に形成されて、この縁部に形成された粗面エリアの一部が下パネル枠８１等の遮光カバーによって視認困難となっていてもよい。
【０２０１】
＜第７の実施形態＞
次に、図１７（ｃ）及び図１８（ｇ）を参照して、上記第２の実施形態を一部変更した第７の実施形態について説明する。なお、第７の実施形態は、第２の実施形態に対して下装飾シートや下パネルを含む前面下扉の一部が異なり、第２の実施形態と同様の部分については、図示を省略、又は図に同一符号を付して説明を省略する。
【０２０２】
図１７（ｃ）に示すように、第７の実施形態に係る前面下扉ＤＤは、下パネル７８２の中央部において、下パネル７８２の前方側の一部を覆う遮光カバーとしての遮光部材９２を有している。遮光部材９２は、装飾シートとしての下装飾シート７８３の基材７８３ａの表面と直交する方向視において、下パネル７８２や下装飾シート７８３の一部と重なるように配置されている。また、下装飾シート７８３の表面には、基材７８３ａの表面と直交する方向に視て、遮光部材９２と少なくとも一部が重なるように粗面エリア８３ｄが形成されており、下装飾シート７８３の少なくとも一部が視認困難となっている。
【０２０３】
図１７（ｃ）及び図１８（ｇ）に示すように、下装飾シート７８３の中央部には開口８３ｅが形成されており、下パネル７８２の中央部には開口８２ｂが形成されている。遮光部材９２は、開口８３ｅ及び開口８２ｂを貫通してホルダ８８に取り付けられている。下装飾シート７８３の表面には、下装飾シート７８３の基材７８３ａの開口８３ｅの縁８３ｂから所定の距離ｌ３の領域に滑面エリア８３ｃが形成され、この滑面エリア８３ｃから所定の距離ｌ４の領域に開口８３ｅの縁８３ｂに沿って粗面エリア８３ｄが形成されている。
【０２０４】
例えば、下装飾シート７８３の開口８３ｅの縁８３ｂに沿って形成された粗面エリア８３ｄは、基材７８３ａの表面と直交する方向に視て、遮光部材９２と一部が重なる位置に形成されて、一部が視認困難となっている。このように、遮光部材９２によって粗面エリア８３ｄの一部を視認困難とすることにより、粗面印刷８４による下装飾シート７８３の画像８５の視認性の低下を抑制している。
【０２０５】
なお、本実施形態に係る下装飾シート７８３のように、装飾シートに開口が形成されていることにより装飾シートが複数の縁部を有している場合、複数の縁部のうち一部の縁部に粗面エリアが形成されていてもよいし、全ての縁部に対して粗面エリアが形成されていてもよい。
【０２０６】
また、遮光部材は、装飾性を有してスロットマシン１を装飾する装飾部材であってもよいし、演出用の操作ボタンを摺動自在に支持する支持部材や操作ボタンの周囲を装飾する装飾部材等、操作ボタンを構成する部品であってもよいし、遮光性を有する透光パネルの塗装部やめっき部等であってもよい。遮光部材が操作ボタンを構成する部品である場合、操作ボタンの押圧操作を行う際に透光パネルが押されたり変形したりしやすくなるが、操作ボタンの開口の周囲に粗面エリアが形成されることによって、透光パネルと装飾シートとの間に干渉縞が発生することを効果的に抑制することが可能となる。
【０２０７】
＜第８の実施形態＞
次に、図１８（ｈ）を参照して、上記第１の実施形態を一部変更した第８の実施形態について説明する。なお、第８の実施形態は、第１の実施形態に対して拡散シートの一方の面に滑面エリア及び粗面エリアを有している点が異なり、第１の実施形態と同様の部分については、図示を省略、又は図に同一符号を付して説明を省略する。
【０２０８】
一般に、透過する光が拡散しやすくするため、拡散シートは表面（発光源とは反対側の面）が拡散面となるように配置される。このように配置された拡散シート裏面と、拡散シートの裏面側に近接配置されたホルダの表面とが共に滑面状である場合、拡散シートとホルダとの間に干渉縞が発生し、透光性を有する装飾シートと透光パネルとを介してこの干渉縞が外部から視認可能となる場合がある。このため、本実施形態に係る拡散シート８８６は、ホルダ８８に対向する裏面に、滑面状の滑面エリア８６ｃと、粗面状の粗面エリア８６ｄと、が形成されている。
【０２０９】
粗面エリア８６ｄは、例えば、微小な粒子を添加した透光性を有する塗料による印刷により形成されていてもよいし、上述したチヂミ印刷等により形成されていてもよい。例えば、拡散シート８８６は、裏面に複数の粗面エリア８６ｄを有しており、この複数の粗面エリア８６ｄが、互いに所定の距離離間して規則的に配置されている。これにより、拡散シート８８６を透過する光がより拡散しやすくなり、ＬＥＤ９１ａからの光の発光斑を抑制し、下装飾シート８３の見栄えを良好とすることが可能となる。なお、拡散シートは、裏面に複数の滑面エリアが形成されて、これら複数の滑面エリアが互いに所定の距離離間して規則的に配置されていてもよい。また、拡散シートは、裏面における基材８６ａの縁８６ｂから内側に所定の距離ｌ５の領域に滑面エリアが形成され、この滑面エリアの内側の略全面が粗面エリアとなっていてもよい。
【０２１０】
以上説明した第２乃至第８の実施形態において、基材の縁から内側に所定の距離ｌ１の領域が滑面エリアとなっているが、これに限らず、例えば、基材の縁と粗面エリアとの間に滑面エリアが形成されていなくてもよいし、基材の縁から内側に所定の距離の領域が粗面エリアとなっていてもよい。
【０２１１】
また、上述したいずれの実施形態においても、組合せ可能な他の実施形態における特徴を自由に組み合わせて実施することができる。例えば、遊技機が第２乃至第７の実施形態に係るいずれかの装飾シートと第８の実施形態に係る拡散シートとを共に備えていてもよいし、第２の実施形態に係る装飾シートの粗面エリアとなっている領域に第６の実施形態に係る装飾シートの粗面エリアとなっている領域を加えた領域が粗面エリアとなっている装飾シートを備えていてもよい。
【符号の説明】
【０２１２】
１      遊技機（スロットマシン）
８１    遮光カバー（下パネル枠）
８２    透光パネル（下パネル）
８３    装飾シート（下装飾シート）
８３ｃ  第１エリア（滑面エリア）
８３ｄ  第２エリア（粗面エリア）
２８３  装飾シート（下装飾シート）
【要約】
【課題】透光パネルと装飾シートとの間に干渉縞が発生することを抑制することが可能な遊技機を提供する。
【解決手段】遊技機１は、透光性を有する透光パネル８２と、装飾性を有する装飾シート８３と、を備える遊技機である。装飾シート８３は、透光パネル８２を介して視認可能となっている。また、装飾シート８３は、滑面状の第１エリア８３ｃと粗面状の第２エリア８３ｄとを表面に有している。遊技機１は、この第２エリア８３ｄによって、装飾シート８３と透光パネル８２との間の干渉縞を抑制する。
【選択図】図１６【図１】
0006831129.tif 000002
【図２】
0006831129.tif 000003
【図３】
0006831129.tif 000004
【図４】
0006831129.tif 000005
【図５】
0006831129.tif 000006
【図６】
0006831129.tif 000007
【図７】
0006831129.tif 000008
【図８】
0006831129.tif 000009
【図９】
0006831129.tif 000010
【図１０】
0006831129.tif 000011
【図１１】
0006831129.tif 000012
【図１２】
0006831129.tif 000013
【図１３】
0006831129.tif 000014
【図１４】
0006831129.tif 000015
【図１５】
0006831129.tif 000016
【図１６】
0006831129.tif 000017
【図１７】
0006831129.tif 000018
【図１８】
0006831129.tif 000019